(57)【要約】【課題】  伝送路を多重化して通信している際、ある伝送路における通信品質が劣化した場合に全体の通信性能を担保する。【解決手段】  送信装置において、送信部１２０は２．４ＧＨｚ帯によりデータ送信を行い、送信部２２０は５ＧＨｚ帯によりデータ送信を行う。送信部１２０および２２０は、送信すべきデータを分割して互いに異なる内容を送信することができ、また、データ分割をせずに送信することができる。受信装置において、受信部１１０および２１０は送信部１２０および２２０からの各送信データを１対１で受信することができ、また、送信部１２０または２２０の何れか一方からの同じ送信データを受信することができる。これら動作の切換えは各周波数帯における伝送路の通信品質に応じて制御される。【選択図】      図３
2006013982.tif 000002
【特許請求の範囲】
【請求項１】
第１の伝送路においてデータ送信を行う第１の送信手段と、
前記第１の伝送路とは異なる第２の伝送路においてデータ送信を行う第２の送信手段と、
前記第１の伝送路においてデータ受信を行う受信手段と、
前記第１の送信手段によるデータ送信の成否を判別する送信判別手段と、
前記受信手段によるデータ受信の成否を判別する受信判別手段と、
前記送信判別手段による判別結果に応じてデータ送信の失敗回数を計数する失敗カウント手段と、
前記受信判別手段による判別結果に応じてデータ受信の成功回数を計数する成功カウント手段と、
送信すべきデータを前記第１および第２の送信手段に分割して送信させている間に前記失敗カウント手段が所定数を示した場合にはそれ以降は送信すべきデータを前記第１および第２の送信手段に重複して送信させ、送信すべきデータを前記第１および第２の送信手段に重複して送信させている間に前記成功カウント手段が所定数を示した場合にはそれ以降は送信すべきデータを前記第１および第２の送信手段に分割して送信させるデータ分配手段と
を具備することを特徴とする送信装置。
【請求項２】
前記データ分配手段は、データ送信の際に前記第１および第２の送信手段に分割して送信させたか否かを当該送信データに含ませる
ことを特徴とする請求項１記載の送信装置。
【請求項３】
第１の伝送路においてデータ送信を行う第１の送信手段と、
前記第１の伝送路とは異なる第２の伝送路においてデータ送信を行う第２の送信手段と、
前記第１の送信手段によるデータ送信の成否を判別する送信判別手段と、
前記送信判別手段による判別結果に応じてデータ送信の失敗回数を計数する失敗カウント手段と、
送信すべきデータを前記第１および第２の送信手段に分割して送信させている間に前記失敗カウント手段が所定数を示した場合にはそれ以降は送信すべきデータを分割せずに第２の送信手段より送信させるデータ分配手段と、
前記データ分配手段が送信すべきデータを分割せずに第２の送信手段より送信させている期間を計時する計時手段とを具備し、
前記データ分配手段は、送信すべきデータを分割せずに第２の送信手段より送信させている間に前記計時手段が所定期間を計時した場合にはそれ以降は送信すべきデータを前記第１および第２の送信手段に分割して送信させる
ことを特徴とする送信装置。
【請求項４】
前記データ分配手段は、データ送信の際に前記第１および第２の送信手段に分割して送信させたか否かを当該送信データに含ませる
ことを特徴とする請求項３記載の送信装置。
【請求項５】
第１および第２の何れかの伝送路においてデータ受信を行う第１の受信手段と、
前記第２の伝送路においてデータ受信を行う第２の受信手段と、
前記第１の受信手段によるデータ受信の成否を判別する受信判別手段と、
前記受信判別手段による判別結果に応じてデータ受信の失敗回数を計数する失敗カウント手段と、
前記第１の受信手段が前記第１の伝送路においてデータ受信を行っている間に前記失敗カウント手段が所定数を示した場合にはそれ以降は前記第１の受信手段に対して前記第２の伝送路においてデータ受信を行わせて前記第１および第２の受信手段による受信内容を合成し、前記第１の受信手段が前記第２の伝送路においてデータ受信を行っている間に前記第１および第２の受信手段による受信内容が周波数切換指示を含む場合にはそれ以降は前記第１の受信手段に対して前記第１の伝送路においてデータ受信を行わせて前記第１および第２の受信手段による受信内容を合成するデータ合成手段と
を具備することを特徴とする受信装置。
【請求項６】
前記データ合成手段は、前記第１および第２の受信手段による受信内容において分割送信された旨が含まれる場合には分割前のデータを復元し、前記第１および第２の受信手段による受信内容において分割送信されなかった旨が含まれる場合には前記第１および第２の受信手段による受信内容のそれぞれから本来のデータを復元する
ことを特徴とする請求項５記載の送信装置。
【請求項７】
第１および第２の何れかの伝送路においてデータ受信を行う第１の受信手段と、
前記第２の伝送路においてデータ受信を行う第２の受信手段と、
前記第１の受信手段によるデータ受信の成否を判別する受信判別手段と、
前記受信判別手段による判別結果に応じてデータ受信の失敗回数を計数する失敗カウント手段と、
前記第１の受信手段が前記第２の伝送路においてデータ受信を行っている期間を計時する計時手段と、
前記第１の受信手段が前記第１の伝送路においてデータ受信を行っている間に前記失敗カウント手段が所定数を示した場合にはそれ以降は前記第１の受信手段に対して前記第２の伝送路においてデータ受信を行わせて前記第１および第２の受信手段による受信内容を合成し、前記第１の受信手段が前記第２の伝送路においてデータ受信を行っている間に前記計時手段が所定期間を計時した場合にはそれ以降は前記第１の受信手段に対して前記第１の伝送路においてデータ受信を行わせて前記第１および第２の受信手段による受信内容を合成するデータ合成手段と
を具備することを特徴とする受信装置。
【請求項８】
前記データ合成手段は、前記第１および第２の受信手段による受信内容において分割送信された旨が含まれる場合には分割前のデータを復元し、前記第１および第２の受信手段による受信内容において分割送信されなかった旨が含まれる場合には前記第１および第２の受信手段による受信内容のそれぞれから本来のデータを復元する
ことを特徴とする請求項７記載の送信装置。
【請求項９】
データ送信を行う送信装置と、前記送信装置からの送信データを受信してその受信結果を含むレスポンス送信を行う受信装置とを備える無線通信システムであって、
前記送信装置は、
第１の伝送路においてデータ送信を行う第１のデータ送信手段と、
前記第１の伝送路とは異なる第２の伝送路においてデータ送信を行う第２のデータ送信手段と、
前記第１の伝送路において前記受信装置からのレスポンスを受信するレスポンス受信手段と、
前記第１のデータ送信手段によるデータ送信の成否を判別するデータ送信判別手段と、
前記レスポンス受信手段によるレスポンス受信の成否を判別するレスポンス受信判別手段と、
前記データ送信判別手段による判別結果に応じてデータ送信の失敗回数を計数するデータ送信失敗カウント手段と、
前記レスポンス受信判別手段による判別結果に応じてレスポンス受信の成功回数を計数するレスポンス受信成功カウント手段と、
送信すべきデータを前記第１および第２のデータ送信手段に分割して送信させている間に前記データ送信失敗カウント手段が所定数を示した場合にはそれ以降は送信すべきデータを前記第１および第２のデータ送信手段に重複して送信させ、送信すべきデータを前記第１および第２のデータ送信手段に重複して送信させている間に前記レスポンス受信成功カウント手段が所定数を示した場合には前記受信装置に周波数切換指示を行うとともにそれ以降は送信すべきデータを前記第１および第２のデータ送信手段に分割して送信させるデータ分配手段とを具備し、
前記受信装置は、
前記第１および第２の何れかの伝送路においてデータ受信を行う第１のデータ受信手段と、
前記第２の伝送路においてデータ受信を行う第２のデータ受信手段と、
前記第１のデータ受信手段によるデータ受信の成否を判別するデータ受信判別手段と、
前記データ受信判別手段による判別結果に応じてデータ受信の失敗回数を計数するデータ受信失敗カウント手段と、
前記第１のデータ受信手段が前記第１の伝送路においてデータ受信を行っている間に前記データ受信失敗カウント手段が所定数を示した場合にはそれ以降は前記第１のデータ受信手段に対して前記第２の伝送路においてデータ受信を行わせて前記第１および第２のデータ受信手段による受信内容を合成し、前記第１のデータ受信手段が前記第２の伝送路においてデータ受信を行っている間に前記送信装置から前記周波数切換指示があった場合にはそれ以降は前記第１のデータ受信手段に対して前記第１の伝送路においてデータ受信を行わせて前記第１および第２のデータ受信手段による受信内容を合成するデータ合成手段とを具備する
ことを特徴とする無線通信システム。
【請求項１０】
データ送信を行う送信装置と、前記送信装置からの送信データを受信してその受信結果を含むレスポンス送信を行う受信装置とを備える無線通信システムであって、
前記送信装置は、
第１の伝送路においてデータ送信を行う第１のデータ送信手段と、
前記第１の伝送路とは異なる第２の伝送路においてデータ送信を行う第２のデータ送信手段と、
前記第１のデータ送信手段によるデータ送信の成否を判別するデータ送信判別手段と、
前記データ送信判別手段による判別結果に応じてデータ送信の失敗回数を計数するデータ送信失敗カウント手段と、
送信すべきデータを前記第１および第２のデータ送信手段に分割して送信させている間に前記データ送信失敗カウント手段が所定数を示した場合にはそれ以降は送信すべきデータを分割せずに第２の送信手段より送信させるデータ分配手段と、
前記データ分配手段が送信すべきデータを分割せずに第２の送信手段より送信させている期間を計時する送信計時手段とを具備し、
前記データ分配手段は、送信すべきデータを分割せずに第２の送信手段より送信させている間に前記送信計時手段が所定期間を計時した場合にはそれ以降は送信すべきデータを前記第１および第２のデータ送信手段に分割して送信させ、
前記受信装置は、
第１および第２の何れかの伝送路においてデータ受信を行う第１のデータ受信手段と、
前記第２の伝送路においてデータ受信を行う第２のデータ受信手段と、
前記第１の受信手段によるデータ受信の成否を判別するデータ受信判別手段と、
前記データ受信判別手段による判別結果に応じてデータ受信の失敗回数を計数するデータ受信失敗カウント手段と、
前記第１の受信手段が前記第２の伝送路においてデータ受信を行っている期間を計時する受信計時手段と、
前記第１のデータ受信手段が前記第１の伝送路においてデータ受信を行っている間に前記データ受信失敗カウント手段が所定数を示した場合にはそれ以降は前記第１のデータ受信手段に対して前記第２の伝送路においてデータ受信を行わせて前記第１および第２のデータ受信手段による受信内容を合成し、前記第１のデータ受信手段が前記第２の伝送路においてデータ受信を行っている間に前記受信計時手段が所定期間を計時した場合にはそれ以降は前記第１のデータ受信手段に対して前記第１の伝送路においてデータ受信を行わせて前記第１および第２のデータ受信手段による受信内容を合成するデータ合成手段とを具備する
ことを特徴とする無線通信システム。
【請求項１１】
データ送信を行う送信装置と、前記送信装置からの送信データを受信してその受信結果を含むレスポンス送信を行う受信装置とを備える無線通信システムであって、
前記送信装置は、
第１の伝送路においてデータ送信を行う第１のデータ送信手段と、
前記第１の伝送路とは異なる第２の伝送路においてデータ送信を行う第２のデータ送信手段と、
前記第１の伝送路において前記受信装置からのレスポンスを受信するレスポンス受信手段と、
前記第１のデータ送信手段によるデータ送信の成否を判別するデータ送信判別手段と、
前記レスポンス受信手段によるレスポンス受信の成否を判別するレスポンス受信判別手段と、
前記データ送信判別手段による判別結果に応じてデータ送信の失敗回数を計数するデータ送信失敗カウント手段と、
前記レスポンス受信判別手段による判別結果に応じてレスポンス受信の成功回数を計数するレスポンス受信成功カウント手段と、
送信すべきデータを前記第１および第２のデータ送信手段に分割して送信させている間に前記データ送信失敗カウント手段が所定数を示した場合にはそれ以降は送信すべきデータを前記第１および第２のデータ送信手段に重複して送信させ、送信すべきデータを前記第１および第２のデータ送信手段に重複して送信させている間に前記レスポンス受信成功カウント手段が所定数を示した場合には前記受信装置に周波数切換指示を行うとともにそれ以降は送信すべきデータを前記第１および第２のデータ送信手段に分割して送信させるデータ分配手段とを具備し、
前記受信装置は、
第１および第２の何れかの伝送路においてデータ受信を行う第１のデータ受信手段と、
前記第２の伝送路においてデータ受信を行う第２のデータ受信手段と、
前記第１の受信手段によるデータ受信の成否を判別するデータ受信判別手段と、
前記データ受信判別手段による判別結果に応じてデータ受信の失敗回数を計数するデータ受信失敗カウント手段と、
前記第１の受信手段が前記第２の伝送路においてデータ受信を行っている期間を計時する受信計時手段と、
前記第１のデータ受信手段が前記第１の伝送路においてデータ受信を行っている間に前記データ受信失敗カウント手段が所定数を示した場合にはそれ以降は前記第１のデータ受信手段に対して前記第２の伝送路においてデータ受信を行わせて前記第１および第２のデータ受信手段による受信内容を合成し、前記第１のデータ受信手段が前記第２の伝送路においてデータ受信を行っている間に前記受信計時手段が所定期間を計時した場合にはそれ以降は前記第１のデータ受信手段に対して前記第１の伝送路においてデータ受信を行わせて前記第１および第２のデータ受信手段による受信内容を合成するデータ合成手段とを具備する
ことを特徴とする無線通信システム。
【請求項１２】
第１の伝送路においてデータ送信を行う第１の送信手段と、前記第１の伝送路とは異なる第２の伝送路においてデータ送信を行う第２の送信手段と、前記第１の伝送路においてデータ受信を行う受信手段とを備える送信装置において、
送信すべきデータを前記第１および第２の送信手段に分割して送信させる状態に遷移させる手順と、
前記第１の送信手段によるデータ送信の失敗回数を計数する手順と、
前記データ送信の失敗回数が所定数を示すと、送信すべきデータを前記第１および第２の送信手段に重複して送信させる状態に遷移させる手順と、
前記受信手段によるデータ受信の成功回数を計数する手順と、
前記データ受信の成功回数が所定数を示すと、送信すべきデータを前記第１および第２の送信手段に分割して送信させる状態に遷移させる手順と
を具備することを特徴とする送信方法。
【請求項１３】
第１の伝送路においてデータ送信を行う第１の送信手段と、前記第１の伝送路とは異なる第２の伝送路においてデータ送信を行う第２の送信手段とを備える送信装置において、
送信すべきデータを前記第１および第２の送信手段に分割して送信させる状態に遷移させる手順と、
前記第１の送信手段によるデータ送信の失敗回数を計数する手順と、
前記データ送信の失敗回数が所定数を示すと、送信すべきデータを分割せずに第２の送信手段より送信させる状態に遷移させる手順と、
送信すべきデータを分割せずに第２の送信手段より送信させている期間を計時する手順と、
送信すべきデータを分割せずに第２の送信手段より送信させている期間が所定期間を示すと、送信すべきデータを前記第１および第２の送信手段に分割して送信させる状態に遷移させる手順と
を具備することを特徴とする送信方法。
【請求項１４】
第１および第２の何れかの伝送路においてデータ受信を行う第１の受信手段と、前記第２の伝送路においてデータ受信を行う第２の受信手段とを備える受信装置において、
前記第１の受信手段が前記第１の伝送路においてデータ受信を行う状態に遷移させる手順と、
前記第１の受信手段によるデータ受信の失敗回数を計数する手順と、
前記第１の受信手段によるデータ受信の失敗回数が所定数を示すと、前記第１の受信手段が前記第２の伝送路においてデータ受信を行う状態に遷移させる手順と、
前記第１および第２の受信手段による受信内容が周波数切換指示を示すと、前記第１の受信手段が前記第１の伝送路においてデータ受信を行う状態に遷移させる手順と
を具備することを特徴とする受信方法。
【請求項１５】
第１および第２の何れかの伝送路においてデータ受信を行う第１の受信手段と、前記第２の伝送路においてデータ受信を行う第２の受信手段とを備える受信装置において、
前記第１の受信手段が前記第１の伝送路においてデータ受信を行う状態に遷移させる手順と、
前記第１の受信手段によるデータ受信の失敗回数を計数する手順と、
前記第１の受信手段によるデータ受信の失敗回数が所定数を示すと、前記第１の受信手段が前記第２の伝送路においてデータ受信を行う状態に遷移させる手順と、
前記第１の受信手段が前記第２の伝送路においてデータ受信を行っている期間を計時する手順と、
前記第１の受信手段が前記第２の伝送路においてデータ受信を行っている期間が所定期間を示すと、前記第１の受信手段が前記第１の伝送路においてデータ受信を行う状態に遷移させる手順と
を具備することを特徴とする受信方法。
【請求項１６】
第１の伝送路においてデータ送信を行う第１の送信手段と、前記第１の伝送路とは異なる第２の伝送路においてデータ送信を行う第２の送信手段と、前記第１の伝送路においてデータ受信を行う受信手段とを備える送信装置において、
送信すべきデータを前記第１および第２の送信手段に分割して送信させる状態に遷移させる手順と、
前記第１の送信手段によるデータ送信の失敗回数を計数する手順と、
前記データ送信の失敗回数が所定数を示すと、送信すべきデータを前記第１および第２の送信手段に重複して送信させる状態に遷移させる手順と、
前記受信手段によるデータ受信の成功回数を計数する手順と、
前記データ受信の成功回数が所定数を示すと、送信すべきデータを前記第１および第２の送信手段に分割して送信させる状態に遷移させる手順と
をコンピュータに実行させることを特徴とするプログラム。
【請求項１７】
第１の伝送路においてデータ送信を行う第１の送信手段と、前記第１の伝送路とは異なる第２の伝送路においてデータ送信を行う第２の送信手段とを備える送信装置において、
送信すべきデータを前記第１および第２の送信手段に分割して送信させる状態に遷移させる手順と、
前記第１の送信手段によるデータ送信の失敗回数を計数する手順と、
前記データ送信の失敗回数が所定数を示すと、送信すべきデータを分割せずに第２の送信手段より送信させる状態に遷移させる手順と、
送信すべきデータを分割せずに第２の送信手段より送信させている期間を計時する手順と、
送信すべきデータを分割せずに第２の送信手段より送信させている期間が所定期間を示すと、送信すべきデータを前記第１および第２の送信手段に分割して送信させる状態に遷移させる手順と
をコンピュータに実行させることを特徴とするプログラム。
【請求項１８】
第１および第２の何れかの伝送路においてデータ受信を行う第１の受信手段と、前記第２の伝送路においてデータ受信を行う第２の受信手段とを備える受信装置において、
前記第１の受信手段が前記第１の伝送路においてデータ受信を行う状態に遷移させる手順と、
前記第１の受信手段によるデータ受信の失敗回数を計数する手順と、
前記第１の受信手段によるデータ受信の失敗回数が所定数を示すと、前記第１の受信手段が前記第２の伝送路においてデータ受信を行う状態に遷移させる手順と、
前記第１および第２の受信手段による受信内容が周波数切換指示を示すと、前記第１の受信手段が前記第１の伝送路においてデータ受信を行う状態に遷移させる手順と
をコンピュータに実行させることを特徴とするプログラム。
【請求項１９】
第１および第２の何れかの伝送路においてデータ受信を行う第１の受信手段と、前記第２の伝送路においてデータ受信を行う第２の受信手段とを備える受信装置において、
前記第１の受信手段が前記第１の伝送路においてデータ受信を行う状態に遷移させる手順と、
前記第１の受信手段によるデータ受信の失敗回数を計数する手順と、
前記第１の受信手段によるデータ受信の失敗回数が所定数を示すと、前記第１の受信手段が前記第２の伝送路においてデータ受信を行う状態に遷移させる手順と、
前記第１の受信手段が前記第２の伝送路においてデータ受信を行っている期間を計時する手順と、
前記第１の受信手段が前記第２の伝送路においてデータ受信を行っている期間が所定期間を示すと、前記第１の受信手段が前記第１の伝送路においてデータ受信を行う状態に遷移させる手順と
をコンピュータに実行させることを特徴とするプログラム。
【発明の詳細な説明】
【技術分野】
【０００１】
本発明は、無線通信システムに関し、特に複数の搬送波を同時に送受信する無線通信システム、送信装置および受信装置、および、これらにおける処理方法ならびに当該方法をコンピュータに実行させるプログラムに関する。
【背景技術】
【０００２】
無線通信システムにおける伝送品質を改善するための手法として、送信装置側もしくは受信装置側でハードウェア資源を多重化したダイバーシティ方式が知られている。このダイバーシティ方式の中で、受信装置側のアンテナを含めた復調系の回路全体を多重化したものは、検波後ダイバーシティ方式と呼ばれる（例えば、特許文献１参照。）。しかし、この検波後ダイバーシティ方式では、送信装置側で同一信号を同時に送信するため、受信装置側で異なる複数の搬送波に対応するためのハードウェア資源を投入した割には、伝送レートが向上しないという問題がある。例えば、現状の技術では、ＩＥＥＥ（米国電気電子学会）の８０２標準化委員会のワーキンググループによるＩＥＥＥ８０２．１１ａ規格における無線伝送速度の最大値は５４Ｍｂｐｓ（ビット／秒）であり、有線による伝送速度と比べて十分とは言えない。
【０００３】
そこで、複数の無線信号を同時に送受信することによる伝送路の多重化を検討する。この場合、本来送信すべきデータを送信装置側で複数個に分割して、それら分割されたデータをそれぞれ異なる伝送路によって伝送する。例えば、同一周波数帯域の別チャネルや、別周波数帯域のチャネルの無線信号を同時に複数使うようにすれば、理論上、多重度に比例して性能向上を図ることができる。
【特許文献１】特開平７−５０６２７号公報（図１）
【発明の開示】
【発明が解決しようとする課題】
【０００４】
しかしながら、伝送路を多重化して通信を行う際、装置の配置や外部からの妨害要因などにより、ある周波数帯の通信品質が劣化し、その帯域での送受信の継続が困難になる場合がある。例えば、２．４ＧＨｚ帯と５ＧＨｚ帯によって送受信を行っている際に、２．４ＧＨｚ帯における通信品質が劣化した場合、以降は５ＧＨｚ帯のみによる送受信が行われることになる。このとき、多重化による効果が失われるだけでなく、場合によっては残る５ＧＨｚ帯における通信品質も同時に劣化することが少なくない。従って、このように一部の伝送路において通信品質が劣化した場合に、他の伝送路を含めた総合的な通信性能を如何に保全するかが重要な課題となる。
【０００５】
そこで、本発明では、伝送路を多重化して通信している際、ある伝送路における通信品質が劣化した場合に全体の通信性能を担保することを目的とする。
【課題を解決するための手段】
【０００６】
上記課題を解決するために本発明の請求項１記載の送信装置は、第１の伝送路においてデータ送信を行う第１の送信手段と、上記第１の伝送路とは異なる第２の伝送路においてデータ送信を行う第２の送信手段と、上記第１の伝送路においてデータ受信を行う受信手段と、上記第１の送信手段によるデータ送信の成否を判別する送信判別手段と、上記受信手段によるデータ受信の成否を判別する受信判別手段と、上記送信判別手段による判別結果に応じてデータ送信の失敗回数を計数する失敗カウント手段と、上記受信判別手段による判別結果に応じてデータ受信の成功回数を計数する成功カウント手段と、送信すべきデータを上記第１および第２の送信手段に分割して送信させている間に上記失敗カウント手段が所定数を示した場合にはそれ以降は送信すべきデータを上記第１および第２の送信手段に重複して送信させ、送信すべきデータを上記第１および第２の送信手段に重複して送信させている間に上記成功カウント手段が所定数を示した場合にはそれ以降は送信すべきデータを上記第１および第２の送信手段に分割して送信させるデータ分配手段とを具備する。これにより、分割送信中にデータ送信の失敗頻度が高くなった場合に非分割通信に切り換え、データ受信の成功頻度が高くなった場合に分割通信に戻すことにより通信性能を担保するという作用をもたらす。
【０００７】
また、本発明の請求項２記載の送信装置は、請求項１記載の送信装置において、上記データ分配手段が、データ送信の際に上記第１および第２の送信手段に分割して送信させたか否かを当該送信データに含ませるものである。これにより、データ送信が分割してなされたか否かを受信装置側に伝達させるという作用をもたらす。
【０００８】
また、本発明の請求項３記載の送信装置は、第１の伝送路においてデータ送信を行う第１の送信手段と、上記第１の伝送路とは異なる第２の伝送路においてデータ送信を行う第２の送信手段と、上記第１の送信手段によるデータ送信の成否を判別する送信判別手段と、上記送信判別手段による判別結果に応じてデータ送信の失敗回数を計数する失敗カウント手段と、送信すべきデータを上記第１および第２の送信手段に分割して送信させている間に上記失敗カウント手段が所定数を示した場合にはそれ以降は送信すべきデータを分割せずに第２の送信手段より送信させるデータ分配手段と、上記データ分配手段が送信すべきデータを分割せずに第２の送信手段より送信させている期間を計時する計時手段とを具備し、上記データ分配手段が、送信すべきデータを分割せずに第２の送信手段より送信させている間に上記計時手段が所定期間を計時した場合にはそれ以降は送信すべきデータを上記第１および第２の送信手段に分割して送信させるものである。これにより、分割送信中にデータ送信の失敗頻度が高くなった場合に非分割通信に切り換え、所定期間経過後に分割通信に戻すことにより通信性能を担保するという作用をもたらす。
【０００９】
また、本発明の請求項４記載の送信装置は、請求項３記載の送信装置において、上記データ分配手段が、データ送信の際に上記第１および第２の送信手段に分割して送信させたか否かを当該送信データに含ませるものである。これにより、データ送信が分割してなされたか否かを受信装置側に伝達させるという作用をもたらす。
【００１０】
また、本発明の請求項５記載の受信装置は、第１および第２の何れかの伝送路においてデータ受信を行う第１の受信手段と、上記第２の伝送路においてデータ受信を行う第２の受信手段と、上記第１の受信手段によるデータ受信の成否を判別する受信判別手段と、上記受信判別手段による判別結果に応じてデータ受信の失敗回数を計数する失敗カウント手段と、上記第１の受信手段が上記第１の伝送路においてデータ受信を行っている間に上記失敗カウント手段が所定数を示した場合にはそれ以降は上記第１の受信手段に対して上記第２の伝送路においてデータ受信を行わせて上記第１および第２の受信手段による受信内容を合成し、上記第１の受信手段が上記第２の伝送路においてデータ受信を行っている間に上記第１および第２の受信手段による受信内容が周波数切換指示を含む場合にはそれ以降は上記第１の受信手段に対して上記第１の伝送路においてデータ受信を行わせて上記第１および第２の受信手段による受信内容を合成するデータ合成手段とを具備する。これにより、第１および第２の受信手段によって互いに異なる伝送路によるデータを受信している状態でデータ受信の失敗頻度が高くなった場合には第１および第２の受信手段によって同一の伝送路によるデータを受信するように切り換え、送信装置側からの周波数切換指示によって元の状態に戻すことにより通信性能を担保するという作用をもたらす。
【００１１】
また、本発明の請求項６記載の受信装置は、請求項５記載の受信装置において、上記データ合成手段が、上記第１および第２の受信手段による受信内容において分割送信された旨が含まれる場合には分割前のデータを復元し、上記第１および第２の受信手段による受信内容において分割送信されなかった旨が含まれる場合には上記第１および第２の受信手段による受信内容のそれぞれから本来のデータを復元するものである。これにより、データが分割送信されたか否かを判断してそれに応じてデータを復元させるという作用をもたらす。
【００１２】
また、本発明の請求項７記載の受信装置は、第１および第２の何れかの伝送路においてデータ受信を行う第１の受信手段と、上記第２の伝送路においてデータ受信を行う第２の受信手段と、上記第１の受信手段によるデータ受信の成否を判別する受信判別手段と、上記受信判別手段による判別結果に応じてデータ受信の失敗回数を計数する失敗カウント手段と、上記第１の受信手段が上記第２の伝送路においてデータ受信を行っている期間を計時する計時手段と、上記第１の受信手段が上記第１の伝送路においてデータ受信を行っている間に上記失敗カウント手段が所定数を示した場合にはそれ以降は上記第１の受信手段に対して上記第２の伝送路においてデータ受信を行わせて上記第１および第２の受信手段による受信内容を合成し、上記第１の受信手段が上記第２の伝送路においてデータ受信を行っている間に上記計時手段が所定期間を計時した場合にはそれ以降は上記第１の受信手段に対して上記第１の伝送路においてデータ受信を行わせて上記第１および第２の受信手段による受信内容を合成するデータ合成手段とを具備する。これにより、第１および第２の受信手段によって互いに異なる伝送路によるデータを受信している状態でデータ受信の失敗頻度が高くなった場合には第１および第２の受信手段によって同一の伝送路によるデータを受信するように切り換え、所定期間経過後に元の状態に戻すことにより通信性能を担保するという作用をもたらす。
【００１３】
また、本発明の請求項８記載の受信装置は、請求項７記載の受信装置において、上記データ合成手段が、上記第１および第２の受信手段による受信内容において分割送信された旨が含まれる場合には分割前のデータを復元し、上記第１および第２の受信手段による受信内容において分割送信されなかった旨が含まれる場合には上記第１および第２の受信手段による受信内容のそれぞれから本来のデータを復元するものである。これにより、データが分割送信されたか否かを判断してそれに応じてデータを復元させるという作用をもたらす。
【００１４】
また、本発明の請求項９記載の無線通信システムは、データ送信を行う送信装置と、上記送信装置からの送信データを受信してその受信結果を含むレスポンス送信を行う受信装置とを備える無線通信システムであって、上記送信装置が、第１の伝送路においてデータ送信を行う第１のデータ送信手段と、上記第１の伝送路とは異なる第２の伝送路においてデータ送信を行う第２のデータ送信手段と、上記第１の伝送路において上記受信装置からのレスポンスを受信するレスポンス受信手段と、上記第１のデータ送信手段によるデータ送信の成否を判別するデータ送信判別手段と、上記レスポンス受信手段によるレスポンス受信の成否を判別するレスポンス受信判別手段と、上記データ送信判別手段による判別結果に応じてデータ送信の失敗回数を計数するデータ送信失敗カウント手段と、上記レスポンス受信判別手段による判別結果に応じてレスポンス受信の成功回数を計数するレスポンス受信成功カウント手段と、送信すべきデータを上記第１および第２のデータ送信手段に分割して送信させている間に上記データ送信失敗カウント手段が所定数を示した場合にはそれ以降は送信すべきデータを上記第１および第２のデータ送信手段に重複して送信させ、送信すべきデータを上記第１および第２のデータ送信手段に重複して送信させている間に上記レスポンス受信成功カウント手段が所定数を示した場合には上記受信装置に周波数切換指示を行うとともにそれ以降は送信すべきデータを上記第１および第２のデータ送信手段に分割して送信させるデータ分配手段とを具備し、上記受信装置が、上記第１および第２の何れかの伝送路においてデータ受信を行う第１のデータ受信手段と、上記第２の伝送路においてデータ受信を行う第２のデータ受信手段と、上記第１のデータ受信手段によるデータ受信の成否を判別するデータ受信判別手段と、上記データ受信判別手段による判別結果に応じてデータ受信の失敗回数を計数するデータ受信失敗カウント手段と、上記第１のデータ受信手段が上記第１の伝送路においてデータ受信を行っている間に上記データ受信失敗カウント手段が所定数を示した場合にはそれ以降は上記第１のデータ受信手段に対して上記第２の伝送路においてデータ受信を行わせて上記第１および第２のデータ受信手段による受信内容を合成し、上記第１のデータ受信手段が上記第２の伝送路においてデータ受信を行っている間に上記送信装置から上記周波数切換指示があった場合にはそれ以降は上記第１のデータ受信手段に対して上記第１の伝送路においてデータ受信を行わせて上記第１および第２のデータ受信手段による受信内容を合成するデータ合成手段とを具備する。これにより、分割送信中にデータ送信の失敗頻度が高くなった場合に非分割通信に切り換え、データ受信の成功頻度が高くなった場合に分割通信に戻すことにより、また、第１および第２の受信手段によって互いに異なる伝送路によるデータを受信している状態でデータ受信の失敗頻度が高くなった場合には第１および第２の受信手段によって同一の伝送路によるデータを受信するように切り換え、送信装置側からの周波数切換指示によって元の状態に戻すことにより、通信性能を担保するという作用をもたらす。
【００１５】
また、本発明の請求項１０記載の無線通信システムは、データ送信を行う送信装置と、上記送信装置からの送信データを受信してその受信結果を含むレスポンス送信を行う受信装置とを備える無線通信システムであって、上記送信装置が、第１の伝送路においてデータ送信を行う第１のデータ送信手段と、上記第１の伝送路とは異なる第２の伝送路においてデータ送信を行う第２のデータ送信手段と、上記第１のデータ送信手段によるデータ送信の成否を判別するデータ送信判別手段と、上記データ送信判別手段による判別結果に応じてデータ送信の失敗回数を計数するデータ送信失敗カウント手段と、送信すべきデータを上記第１および第２のデータ送信手段に分割して送信させている間に上記データ送信失敗カウント手段が所定数を示した場合にはそれ以降は送信すべきデータを分割せずに第２の送信手段より送信させるデータ分配手段と、上記データ分配手段が送信すべきデータを分割せずに第２の送信手段より送信させている期間を計時する送信計時手段とを具備し、上記データ分配手段は、送信すべきデータを分割せずに第２の送信手段より送信させている間に上記送信計時手段が所定期間を計時した場合にはそれ以降は送信すべきデータを上記第１および第２のデータ送信手段に分割して送信させ、上記受信装置が、第１および第２の何れかの伝送路においてデータ受信を行う第１のデータ受信手段と、上記第２の伝送路においてデータ受信を行う第２のデータ受信手段と、上記第１の受信手段によるデータ受信の成否を判別するデータ受信判別手段と、上記データ受信判別手段による判別結果に応じてデータ受信の失敗回数を計数するデータ受信失敗カウント手段と、上記第１の受信手段が上記第２の伝送路においてデータ受信を行っている期間を計時する受信計時手段と、上記第１のデータ受信手段が上記第１の伝送路においてデータ受信を行っている間に上記データ受信失敗カウント手段が所定数を示した場合にはそれ以降は上記第１のデータ受信手段に対して上記第２の伝送路においてデータ受信を行わせて上記第１および第２のデータ受信手段による受信内容を合成し、上記第１のデータ受信手段が上記第２の伝送路においてデータ受信を行っている間に上記受信計時手段が所定期間を計時した場合にはそれ以降は上記第１のデータ受信手段に対して上記第１の伝送路においてデータ受信を行わせて上記第１および第２のデータ受信手段による受信内容を合成するデータ合成手段とを具備する。これにより、分割送信中にデータ送信の失敗頻度が高くなった場合に非分割通信に切り換え、所定期間経過後に分割通信に戻すことにより、また、第１および第２の受信手段によって互いに異なる伝送路によるデータを受信している状態でデータ受信の失敗頻度が高くなった場合には第１および第２の受信手段によって同一の伝送路によるデータを受信するように切り換え、所定期間経過後に元の状態に戻すことにより、通信性能を担保するという作用をもたらす。
【００１６】
また、本発明の請求項１１記載の無線通信システムは、データ送信を行う送信装置と、上記送信装置からの送信データを受信してその受信結果を含むレスポンス送信を行う受信装置とを備える無線通信システムであって、上記送信装置が、第１の伝送路においてデータ送信を行う第１のデータ送信手段と、上記第１の伝送路とは異なる第２の伝送路においてデータ送信を行う第２のデータ送信手段と、上記第１の伝送路において上記受信装置からのレスポンスを受信するレスポンス受信手段と、上記第１のデータ送信手段によるデータ送信の成否を判別するデータ送信判別手段と、上記レスポンス受信手段によるレスポンス受信の成否を判別するレスポンス受信判別手段と、上記データ送信判別手段による判別結果に応じてデータ送信の失敗回数を計数するデータ送信失敗カウント手段と、上記レスポンス受信判別手段による判別結果に応じてレスポンス受信の成功回数を計数するレスポンス受信成功カウント手段と、送信すべきデータを上記第１および第２のデータ送信手段に分割して送信させている間に上記データ送信失敗カウント手段が所定数を示した場合にはそれ以降は送信すべきデータを上記第１および第２のデータ送信手段に重複して送信させ、送信すべきデータを上記第１および第２のデータ送信手段に重複して送信させている間に上記レスポンス受信成功カウント手段が所定数を示した場合には上記受信装置に周波数切換指示を行うとともにそれ以降は送信すべきデータを上記第１および第２のデータ送信手段に分割して送信させるデータ分配手段とを具備し、上記受信装置が、第１および第２の何れかの伝送路においてデータ受信を行う第１のデータ受信手段と、上記第２の伝送路においてデータ受信を行う第２のデータ受信手段と、上記第１の受信手段によるデータ受信の成否を判別するデータ受信判別手段と、上記データ受信判別手段による判別結果に応じてデータ受信の失敗回数を計数するデータ受信失敗カウント手段と、上記第１の受信手段が上記第２の伝送路においてデータ受信を行っている期間を計時する受信計時手段と、上記第１のデータ受信手段が上記第１の伝送路においてデータ受信を行っている間に上記データ受信失敗カウント手段が所定数を示した場合にはそれ以降は上記第１のデータ受信手段に対して上記第２の伝送路においてデータ受信を行わせて上記第１および第２のデータ受信手段による受信内容を合成し、上記第１のデータ受信手段が上記第２の伝送路においてデータ受信を行っている間に上記受信計時手段が所定期間を計時した場合にはそれ以降は上記第１のデータ受信手段に対して上記第１の伝送路においてデータ受信を行わせて上記第１および第２のデータ受信手段による受信内容を合成するデータ合成手段とを具備する。これにより、分割送信中にデータ送信の失敗頻度が高くなった場合に非分割通信に切り換え、データ受信の成功頻度が高くなった場合に分割通信に戻すことにより、また、第１および第２の受信手段によって互いに異なる伝送路によるデータを受信している状態でデータ受信の失敗頻度が高くなった場合には第１および第２の受信手段によって同一の伝送路によるデータを受信するように切り換え、所定期間経過後に元の状態に戻すことにより、通信性能を担保するという作用をもたらす。
【００１７】
また、本発明の請求項１２記載の送信方法は、第１の伝送路においてデータ送信を行う第１の送信手段と、上記第１の伝送路とは異なる第２の伝送路においてデータ送信を行う第２の送信手段と、上記第１の伝送路においてデータ受信を行う受信手段とを備える送信装置において、送信すべきデータを上記第１および第２の送信手段に分割して送信させる状態に遷移させる手順と、上記第１の送信手段によるデータ送信の失敗回数を計数する手順と、上記データ送信の失敗回数が所定数を示すと、送信すべきデータを上記第１および第２の送信手段に重複して送信させる状態に遷移させる手順と、上記受信手段によるデータ受信の成功回数を計数する手順と、上記データ受信の成功回数が所定数を示すと、送信すべきデータを上記第１および第２の送信手段に分割して送信させる状態に遷移させる手順とを具備する。これにより、分割送信中にデータ送信の失敗頻度が高くなった場合に非分割通信に切り換え、データ受信の成功頻度が高くなった場合に分割通信に戻すことにより通信性能を担保するという作用をもたらす。
【００１８】
また、本発明の請求項１３記載の送信方法は、第１の伝送路においてデータ送信を行う第１の送信手段と、上記第１の伝送路とは異なる第２の伝送路においてデータ送信を行う第２の送信手段とを備える送信装置において、送信すべきデータを上記第１および第２の送信手段に分割して送信させる状態に遷移させる手順と、上記第１の送信手段によるデータ送信の失敗回数を計数する手順と、上記データ送信の失敗回数が所定数を示すと、送信すべきデータを分割せずに第２の送信手段より送信させる状態に遷移させる手順と、送信すべきデータを分割せずに第２の送信手段より送信させている期間を計時する手順と、送信すべきデータを分割せずに第２の送信手段より送信させている期間が所定期間を示すと、送信すべきデータを上記第１および第２の送信手段に分割して送信させる状態に遷移させる手順とを具備する。これにより、分割送信中にデータ送信の失敗頻度が高くなった場合に非分割通信に切り換え、所定期間経過後に分割通信に戻すことにより通信性能を担保するという作用をもたらす。
【００１９】
また、本発明の請求項１４記載の受信方法は、第１および第２の何れかの伝送路においてデータ受信を行う第１の受信手段と、上記第２の伝送路においてデータ受信を行う第２の受信手段とを備える受信装置において、上記第１の受信手段が上記第１の伝送路においてデータ受信を行う状態に遷移させる手順と、上記第１の受信手段によるデータ受信の失敗回数を計数する手順と、上記第１の受信手段によるデータ受信の失敗回数が所定数を示すと、上記第１の受信手段が上記第２の伝送路においてデータ受信を行う状態に遷移させる手順と、上記第１および第２の受信手段による受信内容が周波数切換指示を示すと、上記第１の受信手段が上記第１の伝送路においてデータ受信を行う状態に遷移させる手順とを具備する。これにより、第１および第２の受信手段によって互いに異なる伝送路によるデータを受信している状態でデータ受信の失敗頻度が高くなった場合には第１および第２の受信手段によって同一の伝送路によるデータを受信するように切り換え、送信装置側からの周波数切換指示によって元の状態に戻すことにより通信性能を担保するという作用をもたらす。
【００２０】
また、本発明の請求項１５記載の受信方法は、第１および第２の何れかの伝送路においてデータ受信を行う第１の受信手段と、上記第２の伝送路においてデータ受信を行う第２の受信手段とを備える受信装置において、上記第１の受信手段が上記第１の伝送路においてデータ受信を行う状態に遷移させる手順と、上記第１の受信手段によるデータ受信の失敗回数を計数する手順と、上記第１の受信手段によるデータ受信の失敗回数が所定数を示すと、上記第１の受信手段が上記第２の伝送路においてデータ受信を行う状態に遷移させる手順と、上記第１の受信手段が上記第２の伝送路においてデータ受信を行っている期間を計時する手順と、上記第１の受信手段が上記第２の伝送路においてデータ受信を行っている期間が所定期間を示すと、上記第１の受信手段が上記第１の伝送路においてデータ受信を行う状態に遷移させる手順とを具備する。これにより、第１および第２の受信手段によって互いに異なる伝送路によるデータを受信している状態でデータ受信の失敗頻度が高くなった場合には第１および第２の受信手段によって同一の伝送路によるデータを受信するように切り換え、所定期間経過後に元の状態に戻すことにより通信性能を担保するという作用をもたらす。
【００２１】
また、本発明の請求項１６記載のプログラムは、第１の伝送路においてデータ送信を行う第１の送信手段と、上記第１の伝送路とは異なる第２の伝送路においてデータ送信を行う第２の送信手段と、上記第１の伝送路においてデータ受信を行う受信手段とを備える送信装置において、送信すべきデータを上記第１および第２の送信手段に分割して送信させる状態に遷移させる手順と、上記第１の送信手段によるデータ送信の失敗回数を計数する手順と、上記データ送信の失敗回数が所定数を示すと、送信すべきデータを上記第１および第２の送信手段に重複して送信させる状態に遷移させる手順と、上記受信手段によるデータ受信の成功回数を計数する手順と、上記データ受信の成功回数が所定数を示すと、送信すべきデータを上記第１および第２の送信手段に分割して送信させる状態に遷移させる手順とをコンピュータに実行させるものである。これにより、分割送信中にデータ送信の失敗頻度が高くなった場合に非分割通信に切り換え、データ受信の成功頻度が高くなった場合に分割通信に戻すことにより通信性能を担保するという作用をもたらす。
【００２２】
また、本発明の請求項１７記載のプログラムは、第１の伝送路においてデータ送信を行う第１の送信手段と、上記第１の伝送路とは異なる第２の伝送路においてデータ送信を行う第２の送信手段とを備える送信装置において、送信すべきデータを上記第１および第２の送信手段に分割して送信させる状態に遷移させる手順と、上記第１の送信手段によるデータ送信の失敗回数を計数する手順と、上記データ送信の失敗回数が所定数を示すと、送信すべきデータを分割せずに第２の送信手段より送信させる状態に遷移させる手順と、送信すべきデータを分割せずに第２の送信手段より送信させている期間を計時する手順と、送信すべきデータを分割せずに第２の送信手段より送信させている期間が所定期間を示すと、送信すべきデータを上記第１および第２の送信手段に分割して送信させる状態に遷移させる手順とをコンピュータに実行させるものである。これにより、分割送信中にデータ送信の失敗頻度が高くなった場合に非分割通信に切り換え、所定期間経過後に分割通信に戻すことにより通信性能を担保するという作用をもたらす。
【００２３】
また、本発明の請求項１８記載のプログラムは、第１および第２の何れかの伝送路においてデータ受信を行う第１の受信手段と、上記第２の伝送路においてデータ受信を行う第２の受信手段とを備える受信装置において、上記第１の受信手段が上記第１の伝送路においてデータ受信を行う状態に遷移させる手順と、上記第１の受信手段によるデータ受信の失敗回数を計数する手順と、上記第１の受信手段によるデータ受信の失敗回数が所定数を示すと、上記第１の受信手段が上記第２の伝送路においてデータ受信を行う状態に遷移させる手順と、上記第１および第２の受信手段による受信内容が周波数切換指示を示すと、上記第１の受信手段が上記第１の伝送路においてデータ受信を行う状態に遷移させる手順とをコンピュータに実行させるものである。これにより、第１および第２の受信手段によって互いに異なる伝送路によるデータを受信している状態でデータ受信の失敗頻度が高くなった場合には第１および第２の受信手段によって同一の伝送路によるデータを受信するように切り換え、送信装置側からの周波数切換指示によって元の状態に戻すことにより通信性能を担保するという作用をもたらす。
【００２４】
また、本発明の請求項１９記載のプログラムは、第１および第２の何れかの伝送路においてデータ受信を行う第１の受信手段と、上記第２の伝送路においてデータ受信を行う第２の受信手段とを備える受信装置において、上記第１の受信手段が上記第１の伝送路においてデータ受信を行う状態に遷移させる手順と、上記第１の受信手段によるデータ受信の失敗回数を計数する手順と、上記第１の受信手段によるデータ受信の失敗回数が所定数を示すと、上記第１の受信手段が上記第２の伝送路においてデータ受信を行う状態に遷移させる手順と、上記第１の受信手段が上記第２の伝送路においてデータ受信を行っている期間を計時する手順と、上記第１の受信手段が上記第２の伝送路においてデータ受信を行っている期間が所定期間を示すと、上記第１の受信手段が上記第１の伝送路においてデータ受信を行う状態に遷移させる手順とをコンピュータに実行させるものである。これにより、第１および第２の受信手段によって互いに異なる伝送路によるデータを受信している状態でデータ受信の失敗頻度が高くなった場合には第１および第２の受信手段によって同一の伝送路によるデータを受信するように切り換え、所定期間経過後に元の状態に戻すことにより通信性能を担保するという作用をもたらす。
【発明の効果】
【００２５】
本発明によれば、伝送路を多重化して通信している際、ある伝送路における通信品質が劣化した場合に全体の通信性能を担保するという優れた効果を奏し得る。
【発明を実施するための最良の形態】
【００２６】
次に本発明の実施の形態について図面を参照して詳細に説明する。
【００２７】
図１は、本発明の実施の形態における無線通信システムの一構成例を示す図である。基地局２１、端末局１１および１２はそれぞれ送受信装置であり、基地局２１と端末局１１および１２との間では無線通信による送受信が行われる。基地局２１は、後述のようにネットワークインターフェースを通じてネットワーク３０に接続する。このネットワーク３０としては、例えばインターネットやイントラネットを想定することができる。端末局１１および１２は、後述のように周辺インターフェースを通じてコンピュータ等に接続する。また、端末局１１および１２は、基地局２１を経由してネットワーク３０にアクセスする。
【００２８】
例えば、基地局２１として２．４ＧＨｚ帯および５ＧＨｚ帯の２つの周波数帯の送受信を同時に行えるものとして、２．４ＧＨｚ帯ではＩＥＥＥ８０２．１１ｂおよびｇ規格の送受信を行い、５ＧＨｚ帯ではＩＥＥＥ８０２．１１ａ規格の送受信を行うものを想定する。このとき、端末局１１も同様の構成を有するものとすれば、基地局２１と端末局１１との間では、２．４ＧＨｚ帯および５ＧＨｚ帯によりデータを分配して同時に送受信することができる。
【００２９】
一方、端末局１２が１つの周波数帯による送受信を行うものであれば、基地局２１と端末局１２との間では、ＩＥＥＥ８０２．１１ｂおよびｇ規格における２．４ＧＨｚ帯による送受信か、ＩＥＥＥ８０２．１１ａ規格における５ＧＨｚ帯による送受信の何れか一方が行われる。
【００３０】
また、もし基地局２１が１つの周波数帯による送受信を行うものであれば、２つの周波数帯の送受信を同時に行える端末局１１との間でも、ＩＥＥＥ８０２．１１ｂおよびｇ規格における２．４ＧＨｚ帯による送受信か、ＩＥＥＥ８０２．１１ａ規格における５ＧＨｚ帯による送受信の何れか一方が行われる。
【００３１】
図２は、本発明の実施の形態におけるデータ送信の概要を示す図である。図２（ａ）はデータ送信の一方の方式であり、送信装置における送信対象のデータは、先頭からＤ１とＤ２、Ｄ３とＤ４、といった具合に順次分割される。そして、分割されたデータは例えばデータＤ１を伝送路Ａで、データＤ２を伝送路Ｂでといった具合に複数の異なる伝送路に分配されて送信される。このような送信態様を分割送信という。
【００３２】
分配されたデータＤ１およびＤ２は、異なる伝送路ＡおよびＢによりそれぞれ同時に送信される。各伝送路における変調モードは一致している必要はないが、送信に要する時間長が略一致するようにデータ分割の際のビット数を設定することが望ましい。データＤ１およびＤ２が送信された後には、データＤ３およびＤ４が伝送路ＡおよびＢによりそれぞれ同時に送信される。各伝送路における通信状態が許す限り、このような伝送路ＡおよびＢによる同時送信が順次行われる。
【００３３】
一方、図２（ｂ）はデータ送信のもう一方の方式であり、送信装置における送信対象のデータは分割されずに順次送信される。このときの伝送路は単数でも複数もよく、複数の伝送路が用いられる場合には同一のデータが重複して送信される。そして、受信装置側では、ダイバーシティ受信が行われ、復調された信号が合成等されて安定した信号受信が行われる。
【００３４】
なお、この図２では、伝送路ＡおよびＢという２つの伝送路による例が示されているが、使用する伝送路の数は適宜設定することができる。また、伝送路ＡおよびＢの具体的な周波数については特に制約はないが、無線ＬＡＮ（ローカルエリアネットワーク）における使用を想定すると、例えば、２．４ＧＨｚ帯および５ＧＨｚ帯を使用することが考えられる。ＩＥＥＥ８０２．１１規格では２．４ＧＨｚ帯の使用が規定されている。また、その拡張規格であるＩＥＥＥ８０２．１１ａ規格では、５ＧＨｚ帯が使用され、変調方式としてＯＦＤＭ方式が採用されている。従って、ＩＥＥＥ８０２．１１ａ規格によるＯＦＤＭ方式を５ＧＨｚ帯および２．４ＧＨｚ帯の両者で同時に用いることにより高い伝送レートを実現することが可能である。
【００３５】
一方、他の拡張規格であるＩＥＥＥ８０２．１１ｂおよびｇ規格では、２．４ＧＨｚ帯においてＤＳＳＳ（直接スペクトラム拡散）方式が採用されている。従って、５ＧＨｚ帯でＯＦＤＭ方式を使用して、２．４ＧＨｚ帯ではＤＳＳＳ方式を使用することにより、ＩＥＥＥ８０２．１１ａ、ｂおよびｇ規格の互換性を維持しながら高い伝送レートを実現することが可能である。
【００３６】
本発明において異なる伝送路により同時に通信を行う際、異なる周波数帯を用いてもよく、同一周波数帯の異なるチャネルを用いてもよく、また、同一のチャネルにおける異なる伝達関数を有する伝搬路を用いてもよいが、この実施の形態では、一例として、異なる周波数帯を用いて同時に送受信を行うことを想定して構成および動作について説明する。
【００３７】
図３は、本発明の実施の形態における基地局２１、端末局１１または１２の構成を示す図である。これら基地局２１、端末局１１または１２は何れも、２つの伝送路を同時に使用して通信を行う送信装置または受信装置としての機能を有する。すなわち、送信部として２．４ＧＨｚ帯送信部１２０および５ＧＨｚ帯送信部２２０を備えるとともに、受信部として２．４ＧＨｚ帯または５ＧＨｚ帯の受信部１１０および２１０を備える。これにより、２．４ＧＨｚ帯および５ＧＨｚ帯においてそれぞれ異なるデータを同時に送受信することができ、また、２．４ＧＨｚ帯または５ＧＨｚ帯の何れかにおいて送信されたデータをダイバシティ受信することができる。
【００３８】
アンテナ１０１および２０１は、２．４ＧＨｚ帯または５ＧＨｚ帯の高周波信号を送受信するために用いられる。切替器１０２および２０２は、それぞれアンテナ１０１および２０１について送信部１２０と受信部１１０との間または送信部２２０と受信２１０との間で送受信の切り換えを行うものである。
【００３９】
２．４ＧＨｚ帯送信部１２０は２．４ＧＨｚ帯における高周波信号を送信するために符号化および変調を行うものであり、５ＧＨｚ帯送信部２２０は５ＧＨｚ帯における高周波信号を送信するために符号化および変調するものである。一方、２．４ＧＨｚ帯または５ＧＨｚ帯の受信部１１０および２１０は、それぞれ２．４ＧＨｚ帯または５ＧＨｚ帯の何れか一方における高周波信号を受信して復調および復号するものである。すなわち、送信部１２０および２２０は互いに異なる伝送路による送信を行うが、受信部１１０および２１０は互いに異なる伝送路における受信のみならず同一の伝送路における受信も必要に応じて行うことができる。２．４ＧＨｚ帯および５ＧＨｚ帯の送信部１２０および２２０の出力部には、それぞれパワーアンプ１０３および２０３が接続されている。このパワーアンプ１０３および２０３は、送信信号を増幅してそれぞれアンテナ１０１および２０１に供給する。
【００４０】
基地局２１、端末局１１または１２は、通信制御部３００をさらに有する。この通信制御部３００は主として論理層の処理を行うものであり、論理層制御部３０１と、メモリ３０２と、物理層インターフェース３０３とを含む。論理層制御部３０１は、論理層として例えばデータリンク層におけるＭＡＣ（メディアアクセス制御）副層のフレームを処理する。メモリ３０２は、論理層制御部３０１による処理に必要な作業データ等を保持するものである。物理層インターフェース３０３は、受信部１１０および２１０ならびに送信部１２０および２２０により実現される物理層との間のやりとりを行うインターフェースである。
【００４１】
また、基地局２１、端末局１１または１２は、周辺インターフェース４００をさらに有する。基地局２１の場合は、周辺インターフェース４００としてホストインターフェースが使用され、このホストインターフェースのポート４０９にはコンピュータ等のホスト機器が接続される。一方、端末局１１または１２の場合は、周辺インターフェース４００としてネットワークインターフェースが使用され、このネットワークインターフェースのポート４０９にはインターネット等を利用するためのモデム等が接続される。
【００４２】
図４は、本発明の実施の形態における基地局２１、端末局１１または１２の受信部１１０の構成を示す図である。この受信部１１０は、アンテナ１０１により受信した２．４ＧＨｚ帯または５ＧＨｚ帯の高周波信号を中間信号に変換して復調および復号するものである。ＯＦＤＭ方式を想定すると、この受信部１１０は、ダウンコンバータ１１１と、直交復調器１１２と、離散フーリエ変換器１１３と、差動復号器１１４と、デマップ回路１１５と、誤り訂正回路１１６とを有する。
【００４３】
ダウンコンバータ１１１は、２．４ＧＨｚ帯または５ＧＨｚ帯の高周波信号を所定の中間周波数帯の中間信号に変換する。このダウンコンバータ１１１は受信周波数に応じた局部発信器を備え、通信制御部３００からの指示によって受信周波数を選択することができる。直交復調器１１２は、ダウンコンバータ１１１により変換された中間信号を直交検波して、中間信号と同相の同相信号（Ｉ信号）および中間信号の直交成分である直交信号（Ｑ信号）からなるベースバンド信号を抽出する。離散フーリエ変換器１１３は、直交復調器１１２により抽出されたベースバンド信号をガード期間を除いた有効シンボル期間でフーリエ変換して各副搬送波毎に複素データを復調する。
【００４４】
差動復号器１１４は、離散フーリエ変換器１１３により復調された複素データを差動復号するものであり、例えばＰＳＫ方式において利用される。デマップ回路１１５は、差動復号器１１４により復号された複素データをデマップしてデータシンボルを取り出す。誤り訂正回路１１６は、ビタビ復号等によりデータの訂正を行う。このようにして得られたデータは通信制御部３００の物理層インターフェース３０３に出力される。
【００４５】
なお、ここでは受信部１１０について説明したが、受信部２１０も同様の構成により、アンテナ２０１によって受信した２．４ＧＨｚ帯または５ＧＨｚ帯の高周波信号を中間信号に変換して復調および復号する。
【００４６】
図５は、本発明の実施の形態における基地局２１、端末局１１または１２の送信部２２０の構成を示す図である。この送信部２２０は、物理層インターフェース３０３からのデータを符号化および変調して高周波信号に変換してアンテナ２０１に向けて出力するものである。ＯＦＤＭ方式を想定すると、この送信部２２０は、誤り訂正符号化回路２２１と、マップ回路２２２と、差動符号化器２２３と、逆離散フーリエ変換器２２４と、直交変調器２２５と、アップコンバータ２２６とを有する。
【００４７】
誤り訂正符号化回路２２１は、ビットレートに応じて畳み込み符号等で符号化する。マップ回路２２２は、誤り訂正符号化回路２２１により誤り符号化されたデータを複素データシンボルにマッピングする。差動符号化器２２３は、マップ回路２２２によりマッピングされた複素データシンボルを差動符号化して各副搬送波毎に複素データを割り当てる。
【００４８】
逆離散フーリエ変換器２２４は、差動符号化器２２３により差動符号化された複素データを逆フーリエ変換により変調して、ベースバンド信号（Ｉ信号およびＱ信号）を出力する。直交変調器２２５は、ベースバンド信号を直交変調して所定の中間周波数帯の中間信号を生成する。アップコンバータ２２６は、直交変調器２２５により生成された中間信号を５ＧＨｚ帯の高周波信号に変換してアンテナ２０１に向けて出力する。
【００４９】
なお、ここでは５ＧＨｚ帯送信部２２０について説明したが、２．４ＧＨｚ帯送信部１２０も同様の構成により、物理層インターフェース３０３からのデータを符号化および変調して２．４ＧＨｚ帯の高周波信号に変換してアンテナ１０１に向けて出力する。
【００５０】
図６は、本発明の実施の形態におけるデータパケットのフレーム構成を示す図である。このデータパケットは、端末局または基地局からデータを送信する際に用いられるものであり、物理層ヘッダ６１０と、ＭＡＣヘッダ６２０と、ペイロード６３０とからなる。物理層ヘッダ６１０は、物理層として例えばＰＬＣＰ（物理層コンバージェンスプロトコル）副層における情報を伝達するＰＬＣＰフレームのヘッダであり、伝送速度、変調方式やＰＬＣＰフレームの長さ等を示すフィールドを含む。ＭＡＣヘッダ６２０は、ＭＡＣ副層における情報を伝達するＭＡＣフレームのヘッダであり、フレームの種類やフレームの送受信アドレス等を示すフィールドを含む。ペイロード６３０は、ＭＡＣフレームのペイロードであり、データ６３１およびＣＲＣ６３２を含む。
【００５１】
本発明の実施の形態では、データパケットにおけるＭＡＣヘッダ６２０に分割６２１、順序６２２、指示６２３、および、ＣＲＣ６２４の各フィールドを含んでいる。分割６２１は、このフレームが送信された際、各伝送路にデータが分割されたか否かを示すフィールドである。例えば、「０」の場合にはデータ分割されずに送信部１２０および２２０で同一のデータが送信されていることを示し、「１」の場合にはデータ分割されて送信部１２０および２２０で異なるデータが送信されていることを示す。これにより、受信装置は、受信部１１０および２１０において受信したデータを分割受信すべきかダイバーシティ受信すべきかを判断することができる。
【００５２】
順序６２２は、分割送信の際、同時に送信されたデータ同士の順序関係を示すフィールドであり、例えば同時に２つのデータに分割されるものとすると、「０」の場合に前半データであることを示し、「１」の場合に後半データであることを示す。
【００５３】
指示６２３は、送信装置側から受信装置側に対して、次回のパケット送信から元の周波数に切り換える旨を伝えるものである。例えば、２．４ＧＨｚ帯および５ＧＨｚ帯によって分割受信していた際に２．４ＧＨｚ帯において通信状態が劣化したために５ＧＨｚ帯のダイバシティ受信に移行していたとすると、この指示６２３が「１」のパケットを受け取った受信装置側は、次回のパケットから再び２．４ＧＨｚ帯および５ＧＨｚ帯の両周波数帯を受信する。
【００５４】
ＣＲＣ６２４は、ＭＡＣヘッダ６２０におけるデータ誤りを検出するための巡回型冗長チェック符号である。
【００５５】
フレーム送信の際、通信制御部３００が、これら分割６２１、順序６２２および指示６２３を生成してＭＡＣヘッダ６２０に付加する。一方、フレーム受信側では、通信制御部３００が、これら分割６２１および順序６２２に従ってデータを合成する。また、フレーム受信側の通信制御部３００が、指示６２３に従って受信部１１０または２１０における受信周波数の切り換えを行う。
【００５６】
図７は、本発明の実施の形態におけるレスポンスパケットのフレーム構成を示す図である。このレスポンスパケットは、データを受信した端末局または基地局からデータ送信元の端末局または基地局に返送されるものであり、物理層ヘッダ６４０と、ＭＡＣヘッダ６５０と、ペイロード６６０とからなる。物理層ヘッダ６４０がＰＬＣＰ副層における情報を伝達するＰＬＣＰフレームのヘッダであり、ＭＡＣヘッダ６５０がＭＡＣ副層における情報を伝達するＭＡＣフレームのヘッダである点は、図６におけるデータパケットの物理層ヘッダ６１０およびＭＡＣヘッダ６２０と同様である。
【００５７】
本発明の実施の形態におけるレスポンスパケットでは、ペイロード６６０において状態６６１およびＣＲＣ６６２の各フィールドを含んでいる。状態６６１は、分配されたデータの受信状態を示すフィールドである。また、ＣＲＣ６６２はＭＡＣヘッダ６５０およびペイロード６６０におけるデータ誤りを検出するための巡回型冗長チェック符号である。
【００５８】
状態６６１は、分割されて同時に送信されたデータに関する受信状態を全て含む。従って、例えば２．４ＧＨｚ帯におけるレスポンスパケットであっても２．４ＧＨｚ帯のみならず５ＧＨｚ帯の受信状態も含む。そのため、状態６６１は、分割されたデータの数に応じた情報を含み、データが２つに分配されて送信された場合には例えば１ビット目で前半部の受信状態を示し、２ビットで後半部の受信状態を示すものとすることができる。すなわち、前半部の受信に成功した場合には１ビット目が「０」、前半部の受信に失敗した場合には１ビット目が「１」となる。同様に、後半部の受信に成功した場合には２ビット目が「０」、後半部の受信に失敗した場合には２ビット目が「１」となる。
【００５９】
このレスポンスパケットの状態６６１は、データを受信した端末局または基地局の通信制御部３００により生成される。このレスポンスパケットはデータ送信元の端末局または基地局に返送されて、データ送信元の端末局または基地局の通信制御部３００において状態６６１が判別される。
【００６０】
次に、本発明の実施の形態による無線通信システムの実現例について図面を参照して説明する。
【００６１】
図８は、本発明の実施の形態における通信制御部３００によるデータ送信制御機能の第１の方式例を示す図である。このデータ送信制御機能は、データバッファ３３２に保持されたデータを分配するデータ分配部３３１と、送信部１２０によるデータ送信の分配を制御する分配制御部Ａ３１０と、送信部２２０によるデータ送信の分配を制御する分配制御部Ｂ３２０とからなる。
【００６２】
分配制御部Ａ３１０は、キャリアセンス部Ａ３１１と、レスポンス判別部Ａ３１２と、失敗カウンタＡ３１３と、成功カウンタＡ３１４と、データ出力部Ａ３１５とからなる。また、分配制御部Ｂ３２０は、キャリアセンス部Ｂ３２１と、レスポンス判別部Ｂ３２２と、失敗カウンタＢ３２３と、成功カウンタＢ３２４と、データ出力部Ｂ３２５とからなる。
【００６３】
キャリアセンス部Ａ３１１は、２．４ＧＨｚ帯における空き状況をデータ出力部Ａ３１５、レスポンス判別部Ａ３１２およびデータ分配部３３１に報告する。また、キャリアセンス部Ｂ３２１は、５ＧＨｚ帯における空き状況をデータ出力部Ｂ３２５、レスポンス判別部Ｂ３２２およびデータ分配部３３１に報告する。キャリアセンス部Ａ３１１またはＢ３２１により何れかの周波数帯が空いていないと報告された場合、データ出力部Ａ３１５およびＢ３２５はデータを出力しない。このような伝送路へのアクセス制御方式として、例えばＩＥＥＥ８０２．１１規格で採用されているＣＳＭＡ／ＣＡ（Carrier Sense Multiple Access with Collision Avoidance：搬送波感知多重アクセス／衝突回避）方式を用いることができる。
【００６４】
レスポンス判別部Ａ３１２は、前回のデータ送信に対するレスポンスを受信部１１０により受けて、その判別結果である状態６６１をデータ分配部３３１、失敗カウンタＡ３１３および成功カウンタＡ３１４に供給する。同様に、レスポンス判別部Ｂ３２２は、前回のデータ送信に対するレスポンスを受信部２１０により受けて、その判別結果をデータ分配部３３１、失敗カウンタＢ３２３および成功カウンタＢ３２４に供給する。
【００６５】
データ分配部３３１は、データバッファ３３２からのデータを後述のように順次、データ出力部Ａ３１５およびデータ出力部Ｂ３２５に分配していく。但し、次のように失敗カウンタＡ３１３、Ｂ３２３、成功カウンタＡ３１４またはＢ３２４の状態に応じて、送信部１２０および２２０でデータを分割するか否かを制御する。また、フレーム送信の際、データ分配部３３１は、分割６２１、順序６２２および指示６２３を生成してＭＡＣヘッダ６２０に付加する。
【００６６】
失敗カウンタＡ３１３およびＢ３２３は、それぞれ送信部１２０および２２０によるデータの送信に連続して失敗した際の連続回数をカウントする。一方、成功カウンタＡ３１４およびＢ３２４は、データ送信に対するレスポンスの受信についてそれぞれ受信部１１０および２１０で連続して成功した際の連続回数をカウントする。データ分配部３３１は、失敗カウンタＡ３１３およびＢ３２３の何れかの値が所定回数Ｎ（Ｎは整数）以上を示した場合、それ以降は送信部１２０および２２０でデータを分割せずに送信部１２０および２２０で同じデータを重複して送信するよう制御する。すなわち、分割送信モードから非分割送信モードに移行する。
【００６７】
一方、データ分配部３３１は、非分割送信モードにおいてその非分割送信の原因となった伝送路における成功カウンタＡ３１４またはＢ３２４の値が所定回数Ｍ（Ｍは整数）以上を示した場合、それ以降は送信部１２０および２２０でデータを分割するよう制御する。すなわち、非分割送信モードから分割送信モードに移行する。
【００６８】
なお、本発明の実施の形態において、所定回数ＮおよびＭは、例えば数回から十数回程度を想定することができる。
【００６９】
図９は、本発明の実施の形態における通信制御部３００によるデータ受信制御機能の第１の方式例を示す図である。このデータ受信制御機能は、受信したデータを合成してデータバッファ３７２に保持させるデータ合成部３７１と、受信部１１０において受信したデータの合成を制御する合成制御部Ａ３５０と、受信部２１０において受信したデータの合成を制御する合成制御部Ｂ３６０とからなる。
【００７０】
合成制御部Ａ３５０は、データ判別部Ａ３５１と、レスポンス出力部Ａ３５２と、失敗カウンタＡ３５３とからなる。また、合成制御部Ｂ３６０は、データ判別部Ｂ３６１と、レスポンス出力部Ｂ３６２と、失敗カウンタＢ３６３とからなる。ここで、データ判別部Ａ３５１は、受信部１１０におけるデータ受信状態を判別して、その結果をデータ合成部３７１、レスポンス出力部Ａ３５２および失敗カウンタＡ３５３に供給する。また、データ判別部Ｂ３６１は、受信部２１０におけるデータ受信状態を判別して、その結果をデータ合成部３７１、レスポンス出力部Ｂ３６２および失敗カウンタＢ３６３に供給する。
【００７１】
レスポンス出力部Ａ３５２は、データ判別部Ａ３５１およびＢ３６１によるデータ受信状態の判別結果として状態６６１を含むレスポンスを送信部１２０に出力する。また、レスポンス出力部Ｂ３６２は、データ判別部Ａ３５１およびＢ３６１によるデータ受信状態の判別結果を併せたレスポンスを送信部２２０に出力する。すなわち、各レスポンスには、全ての受信部におけるデータ受信状態の判別結果が含まれることになる。
【００７２】
データ合成部３７１は、データ判別部Ａ３５１およびＢ３６１からのデータを分割６２１および順序６２２に従って合成して、データバッファ３７２に保存する。このとき、両データが送信装置側で分割されて送信されたものであれば、データ合成部３７１は両データを連続データとして扱い、そのまま接合する。一方、両データが送信装置側で分割されずに送信されたものであれば、データ合成部３７１は両データを同一データとして扱い、両データの正常な部分を合成等することにより安定したデータを再現する。このデータの分割または非分割の分類は、上述のように、送信装置側からのデータパケットに含まれる。
【００７３】
失敗カウンタＡ３５３およびＢ３６３は、それぞれ受信部１１０および２１０においてデータ受信に連続して失敗した際の連続回数をカウントする。データ合成部３７１は、失敗カウンタＡ３５３およびＢ３６３の何れかの値が所定回数Ｎ（Ｎは整数）以上を示した場合、その失敗した伝送路（例えば、２．４ＧＨｚ帯）の受信をしていた系列において、それ以降は失敗した伝送路の受信を中止し、失敗しなかった伝送路（例えば、５ＧＨｚ帯）の受信をするよう受信周波数の切換えを行う。これにより、異なる伝送路により分割して送信されたデータを受信する分割受信モードから、同一の伝送路のデータを受信するダイバーシティ受信モードに移行する。
【００７４】
また、送信装置側から受信周波数の切換指示があると、データ合成部３７１は、上述の受信周波数の切換えを解除して、元の伝送路の受信を再開する。すなわち、ダイバーシティ受信モードから分割受信モードに移行する。この受信周波数の切換指示は、上述のように、送信装置側からのデータパケットに含まれる。
【００７５】
図１０は、本発明の実施の形態における端末局および基地局の第１の方式例による動作を示すシーケンスチャートである。ここでは、基地局から端末局に対して２．４ＧＨｚ帯および５ＧＨｚ帯を使用してデータを送信するものとする。また、基地局における送信部１２０による処理を「基地局Ａ」、基地局における送信部２２０による処理を「基地局Ｂ」、端末局における受信部１１０による処理を「端末局Ａ」、また、端末局における受信部２１０による処理を「端末局Ｂ」として表している。
【００７６】
まず、基地局はデータをデータＤ１−１とデータＤ１−２に分配して、データＤ１−１を２．４ＧＨｚ帯で、データＤ１−２を５ＧＨｚ帯で、両者を同時に送信（１３０、２３０）する。端末局はこれらデータＤ１−１およびデータＤ１−２の受信に成功したものとする。端末局Ａおよび端末局Ｂの右側に記載された「ＯＫ」または「ＮＧ」がデータの受信状態としてそれぞれ「成功」または「失敗」を示している。端末局は２．４ＧＨｚ帯および５ＧＨｚ帯における受信状態をレスポンスとして２．４ＧＨｚ帯および５ＧＨｚ帯の両者により同時に基地局に返送（１４０、２４０）する。基地局はこれらレスポンス１４０および２４０の受信に成功したものとする。基地局Ａおよび基地局Ｂの左側に記載された「ＯＫ」または「ＮＧ」がレスポンスの受信状態としてそれぞれ「成功」または「失敗」を示している。
【００７７】
続いて基地局はデータをデータＤ２−１とデータＤ２−２に分配して、データＤ２−１を２．４ＧＨｚ帯で、データＤ２−２を５ＧＨｚ帯で、両者を同時に送信（１３１、２３１）する。端末局はデータＤ２−２の受信に成功したが、データＤ２−１の受信には失敗したものとする。端末局は２．４ＧＨｚ帯および５ＧＨｚ帯における受信状態をレスポンスとして２．４ＧＨｚ帯および５ＧＨｚ帯の両者により同時に基地局に返送（１４１、２４１）する。基地局はこれらレスポンス１４１および２４１の受信に成功したものとする。
【００７８】
これらレスポンス１４１および２４１によりデータＤ２−１が受信できなかったことが判明するため、基地局はデータＤ２−１を２．４ＧＨｚ帯で、データＤ２−２を５ＧＨｚ帯で、両者を同時に再送（１３２、２３２）する。端末局はデータＤ２−１およびＤ２−２の何れの受信にも失敗したものとする。端末局は２．４ＧＨｚ帯および５ＧＨｚ帯における受信状態をレスポンスとして２．４ＧＨｚ帯および５ＧＨｚ帯の両者により同時に基地局に返送（１４２、２４２）する。ここで、基地局はレスポンス２４２の受信に成功したがレスポンス１４２の受信には失敗したものとする。
【００７９】
レスポンス２４２には５ＧＨｚ帯における受信状態だけでなく２．４ＧＨｚ帯における受信状態も含まれているため、基地局はデータＤ２−１およびＤ２−２の何れも送信できなかったことを認識し、再度データＤ２−１およびＤ２−２の送信を試みる。
【００８０】
このような再送を繰り返し、データＤ２−１およびＤ２−２を再送（１３３、２３３）した結果、端末局Ａが２．４ＧＨｚ帯において所定回数Ｎ（Ｎは整数）回連続して受信に失敗すると、端末局Ａはレスポンス１４３を返信するとともに以降の受信周波数を２．４ＧＨｚ帯から５ＧＨｚ帯に変更する。
【００８１】
また、基地局は２．４ＧＨｚ帯において所定回数Ｎ回連続して送信に失敗したことをレスポンス１４３または２４３から知ると、以降の送信において分割送信から非分割送信に切り換える。但し、これまでの段階でデータＤ２−２については送信に成功しているため、次の送信においてはデータＤ２−１を２．４ＧＨｚ帯および５ＧＨｚ帯により送信（１３４、２３４）する。これにより、端末局Ａが５ＧＨｚ帯によってデータＤ２−１の受信に成功し、端末局Ｂは５ＧＨｚ帯によるデータＤ２−１の受信に失敗する。これらの結果として、レスポンス１４４が２．４ＧＨｚ帯により、レスポンス２４４が５ＧＨｚ帯により、それぞれ返信される。
【００８２】
次の送信からはデータＤ３が２．４ＧＨｚ帯および５ＧＨｚ帯により重複して送信（１３５、２３５）される。このデータＤ３のヘッダ情報には「非分割」である旨が記される。これにより、端末局は受信部１１０および２１０によって５ＧＨｚ帯の信号をダイバシティ受信することになる。その結果として、端末局は２．４ＧＨｚ帯および５ＧＨｚ帯によりレスポンスを返信（１４５、２４５）する。
【００８３】
この間、基地局Ａでは端末局Ａからのレスポンスを受信しており、所定回数Ｍ（Ｍは整数）回連続してレスポンスの受信に成功すると、基地局は次のデータＤ６の送信（１３８、２３８）の際にヘッダ情報として周波数切換指示を含ませる。そして、基地局は次のデータをＤ７−１（１３９）およびＤ７−２（２３９）に分割して送信する。これらデータをＤ７−１およびＤ７−２のヘッダ情報（分割６２１）には「分割」されている旨が記される。
【００８４】
データＤ６（１３８、２３８）のヘッダ情報における周波数切換指示に対し、端末局Ａは次のデータＤ７−１（１３９）から受信周波数を２．４ＧＨｚ帯に戻す。このとき、データＤ７−１（１３９）およびＤ７−２（２３９）のヘッダ情報には「分割」されている旨が記されているため、端末局は分割受信を行うことになる。
【００８５】
図１１は、本発明の実施の形態における第１の方式例による分配制御部Ａ３１０の処理手順を示すフローチャートである。ここでは、基地局（送信装置）から端末局（受信装置）に対して２．４ＧＨｚ帯および５ＧＨｚ帯を使用してデータを送信するものとし、基地局側の分配制御部Ａ３１０に着目する。
【００８６】
分割送信モードの動作に入ると、分配制御部Ａ３１０は失敗カウンタＡ３１３をゼロにリセットする（ステップＳ８１１）。そして、レスポンス判別部Ａ３１２は２．４ＧＨｚ帯におけるデータ送信に対するレスポンスを端末局側から受けてその送信が成功したか否かを判別し（ステップＳ８１２）、送信に失敗したときには失敗カウンタＡ３１３を１つ増加させる（ステップＳ８１３）。一方、送信に成功したときには失敗カウンタＡ３１３を再びゼロにリセットする（ステップＳ８１１）。
【００８７】
このようにしてデータ送信を繰り返すうちに失敗カウンタＡ３１３が所定回数Ｎ（Ｎは整数）以上を示すと（ステップＳ８１４）、基地局は非分割送信モードに切り換える（ステップＳ８１５）。但し、この場合においても、基地局は２．４ＧＨｚ帯および５ＧＨｚ帯によるデータ送信およびレスポンス受信を継続する。
【００８８】
非分割送信モードの動作に入ると、分配制御部Ａ３１０は成功カウンタＡ３１４をゼロにリセットする（ステップＳ８２１）。そして、レスポンス判別部Ａ３１２は５ＧＨｚ帯におけるデータ送信に対する２．４ＧＨｚ帯によるレスポンスを端末局側から受けてその送信が成功したか否かを判別し（ステップＳ８２２）、レスポンス受信に成功したときには成功カウンタＡ３１４を１つ増加させる（ステップＳ８２３）。一方、レスポンス受信に失敗したときには成功カウンタＡ３１４を再びゼロにリセットする（ステップＳ８２１）。
【００８９】
このようにしてレスポンス受信を繰り返すうちに成功カウンタＡ３１４が所定回数Ｍ（Ｍは整数）以上を示すと（ステップＳ８２４）、基地局から端末局に対して一方の受信周波数を２．４ＧＨｚ帯に戻すよう周波数切換指示がされる（ステップＳ８２５）。この周波数切換指示は、送信周波数を切り換える直前のデータ送信におけるヘッダ情報（指示６２３）によって行われる。そして、その次のデータ送信からは、基地局は分割送信モードに切り換えて動作を行う（ステップＳ８２６）。
【００９０】
なお、ここでは、分配制御部Ａ３１０に着目して２．４ＧＨｚ帯に関する処理について説明したが、分配制御部Ｂ３２０においても同様の手順で５ＧＨｚ帯に関する処理が行われる。
【００９１】
図１２は、本発明の実施の形態における第１の方式例による合成制御部Ａ３５０の処理手順を示すフローチャートである。ここでは、基地局（送信装置）から端末局（受信装置）に対して２．４ＧＨｚ帯および５ＧＨｚ帯を使用してデータを送信するものとし、端末局側の合成制御部Ａ３５０に着目する。
【００９２】
分割受信モードの動作に入ると、合成制御部Ａ３５０は失敗カウンタＡ３５３をゼロにリセットする（ステップＳ８３１）。そして、データ判別部Ａ３５１は２．４ＧＨｚ帯におけるデータ送信を基地局側から受けてその受信が成功したか否かを判別し（ステップＳ８３２）、受信に失敗したときには失敗カウンタＡ３５３を１つ増加させる（ステップＳ８３３）。一方、受信に成功したときには失敗カウンタＡ３５３を再びゼロにリセットする（ステップＳ８３１）。
【００９３】
このようにしてデータ受信を繰り返すうちに失敗カウンタＡ３５３が所定回数Ｎ（Ｎは整数）以上を示すと（ステップＳ８３４）、端末局はそれまで２．４ＧＨｚ帯を受信していた受信部の受信周波数を５ＧＨｚ帯に切り換える（ステップＳ８３５）。すなわち、受信部１１０および２１０ともに、５ＧＨｚ帯を受信するようになる。また、以降の基地局からのデータ送信におけるヘッダ情報には「非分割」である旨が記されるため、端末局はダイバーシティ受信を行うようになる。
【００９４】
ダイバーシティ受信を行っている間、端末局は基地局からのデータ送信におけるヘッダ情報を監視し、周波数切換指示がされているかを調べる（ステップＳ８４１）。周波数切換指示を受けると、端末局はそれまで５ＧＨｚ帯を受信していた受信部の受信周波数を２．４ＧＨｚ帯に切り換える（ステップＳ８４２）。また、以降の基地局からのデータ送信におけるヘッダ情報には「分割」である旨が記されるため、端末局は分割受信を行うようになる。
【００９５】
なお、ここでは、合成制御部Ａ３５０に着目して２．４ＧＨｚ帯に関する処理について説明したが、合成制御部Ｂ３６０においても同様の手順で５ＧＨｚ帯に関する処理が行われる。
【００９６】
このように、本発明の実施の形態における第１の方式例においては、基地局における失敗カウンタＡ３１３およびＢ３２３によってデータ送信における失敗回数を計数し、所定回数連続して失敗した場合には基地局が分割送信から非分割送信に切り換える。また、端末局における失敗カウンタＡ３５３およびＢ３６３によってデータ送信における失敗回数を計数し、所定回数連続して失敗した場合には端末局が２．４ＧＨｚ帯における受信を止めて５ＧＨｚ帯に切り換える。これにより、基地局および端末局は、一方が分割送信したデータをもう一方で分割受信するという状態から、一方が非分割送信したデータをもう一方でダイバーシティ受信するという状態へと遷移するタイミングを、それぞれ独立して生成することができる。
【００９７】
また、この第１の方式例においては、基地局における成功カウンタＡ３１４およびＢ３２４によってレスポンス受信における成功回数を計数し、所定回数連続して成功した場合には基地局が非分割送信から分割送信に切り換える。また、その際、基地局は前もって端末局に対して周波数切換を指示する。これにより、一方が非分割送信したデータをもう一方でダイバーシティ受信するという状態から、一方が分割送信したデータをもう一方で分割受信するという状態へと遷移するタイミングを、基地局は独立して生成することができ、また、端末局はそのタイミングを基地局から取得することができる。
【００９８】
なお、この第１の方式例では、基地局から端末局に対してデータを送信するものと想定したが、これは逆に端末局から基地局に対してデータを送信するものと想定しても構わない。
【００９９】
図１３は、本発明の実施の形態における通信制御部３００によるデータ送信制御機能の第２の方式例を示す図である。このデータ送信制御機能は、データバッファ３３２に保持されたデータを分配するデータ分配部３３３と、復帰タイマ３３４と、送信部１２０によるデータ送信の分配を制御する分配制御部Ａ３１０と、送信部２２０によるデータ送信の分配を制御する分配制御部Ｂ３２０とからなる。
【０１００】
分配制御部Ａ３１０は、キャリアセンス部Ａ３１１と、レスポンス判別部Ａ３１２と、失敗カウンタＡ３１３と、データ出力部Ａ３１５とからなる。また、分配制御部Ｂ３２０は、キャリアセンス部Ｂ３２１と、レスポンス判別部Ｂ３２２と、失敗カウンタＢ３２３と、データ出力部Ｂ３２５とからなる。すなわち、この第２の方式例における分配制御部Ａ３１０およびＢ３２０は、上述の第１の方式例における成功カウンタＡ３１４およびＢ３２４を除いた構成を備える。
【０１０１】
データ分配部３３３は、データバッファ３３２からのデータを順次、データ出力部Ａ３１５およびデータ出力部Ｂ３２５に分配していく。但し、次のように失敗カウンタＡ３１３、Ｂ３２３または復帰タイマ３３４の状態に応じて、送信部１２０および２２０でデータを分割するか否かを制御する。
【０１０２】
データ分配部３３３は、失敗カウンタＡ３１３およびＢ３２３の何れかの値が所定回数Ｎ（Ｎは整数）以上を示した場合、それ以降はその失敗カウンタＡ３１３またはＢ３２３に対応する送信部１２０または２２０による送信を中止し、もう一方の送信部１２０または２２０でデータ分割をせずに送信するよう制御する。すなわち、分割送信モードから非分割送信モードに移行する。
【０１０３】
一方、データ分配部３３３は、非分割送信モードに入ると復帰タイマ３３４を起動する。この復帰タイマ３３４がタイムアップすると、それ以降は送信部１２０および２２０でデータを分割するよう制御する。すなわち、非分割送信モードから分割送信モードに移行する。この復帰タイマ３３４は、実時間を計時するようにしてもよく、また、データ送信からレスポンス受信までを単位とする回数を計数するようにしてもよい。回数を基準とした場合には数回程度を想定することができる。また、実時間を基準とした場合には数百マイクロ秒乃至数秒程度を想定することができる。
【０１０４】
図１４は、本発明の実施の形態における通信制御部３００によるデータ受信制御機能の第２の方式例を示す図である。このデータ受信制御機能は、受信したデータを合成してデータバッファ３７２に保持させるデータ合成部３７３と、復帰タイマ３７４と、受信部１１０において受信したデータの合成を制御する合成制御部Ａ３５０と、受信部２１０において受信したデータの合成を制御する合成制御部Ｂ３６０とからなる。
【０１０５】
合成制御部Ａ３５０は、データ判別部Ａ３５１と、レスポンス出力部Ａ３５２と、失敗カウンタＡ３５３とからなる。また、合成制御部Ｂ３６０は、データ判別部Ｂ３６１と、レスポンス出力部Ｂ３６２と、失敗カウンタＢ３６３とからなる。データ合成部３７３は、データ判別部Ａ３５１およびＢ３６１からのデータを合成してデータバッファ３７２に保存する。これらの構成は上述の第１の方式例と同様である。
【０１０６】
データ合成部３７３は、失敗カウンタＡ３５３およびＢ３６３の何れかの値が所定回数Ｎ（Ｎは整数）以上を示した場合、その失敗した伝送路（例えば、２．４ＧＨｚ帯）の受信をしていた系列において、それ以降は失敗した伝送路の受信を中止し、失敗しなかった伝送路（例えば、５ＧＨｚ帯）の受信をするよう受信周波数の切換えを行う。これにより、異なる伝送路により分割して送信されたデータを受信する分割受信モードから、同一の伝送路のデータを受信するダイバーシティ受信モードに移行する。
【０１０７】
一方、データ合成部３７３は、ダイバーシティ受信モードに入ると復帰タイマ３７４を起動する。この復帰タイマ３７４がタイムアップすると、それ以降は上述の受信周波数の切換えを解除して、元の伝送路の受信を再開する。すなわち、ダイバーシティ受信モードから分割受信モードに移行する。
【０１０８】
なお、この図１４の復帰タイマ３７４は、図１３の復帰タイマ３３４と同様に、実時間を計時するようにしてもよく、また、データ送信からレスポンス受信までを単位とする回数を計数するようにしてもよい。
【０１０９】
図１５は、本発明の実施の形態における端末局および基地局の第２の方式例による動作を示すシーケンスチャートである。基地局と端末局との関係は第１の方式例の場合と同様である。
【０１１０】
基地局は第１の方式例の場合と同様に、データをデータＤ１−１とデータＤ１−２に分配して、データＤ１−１を２．４ＧＨｚ帯で、データＤ１−２を５ＧＨｚ帯で、両者を同時に送信（１５０、２５０）する。また、端末局も第１の方式例の場合と同様に、２．４ＧＨｚ帯および５ＧＨｚ帯における受信状態をレスポンスとして２．４ＧＨｚ帯および５ＧＨｚ帯の両者により同時に基地局に返送（１６０、２６０）する。
【０１１１】
そして、これらデータ送信およびレスポンス返信を繰り返した後、データＤ２−１およびＤ２−２を再送（１５３、２５３）した結果、端末局Ａが２．４ＧＨｚ帯において所定回数Ｎ（Ｎは整数）回連続して受信に失敗すると、端末局Ａはレスポンス１６３を返信するとともに以降の受信周波数を２．４ＧＨｚ帯から５ＧＨｚ帯に変更する。また、このとき、端末局Ａは２．４ＧＨｚ帯へ復帰するための復帰タイマ３７４を起動する。これ以降、端末局は送信されたデータＤ２−１、Ｄ３、Ｄ４（２５４、２５５、２５６）のダイバーシティ受信を行い、端末局Ｂはレスポンスを送信（２６４、２６５、２６６）するが、端末局Ａはレスポンスの送信（１６４、１６５、１６６）を中止する。
【０１１２】
一方、基地局は２．４ＧＨｚ帯において所定回数Ｎ回連続して送信に失敗したことをレスポンス１６３または２６３から知ると、以降の送信において分割送信から非分割送信に切り換える。また、このとき、基地局Ａは２．４ＧＨｚ帯へ復帰するための復帰タイマ３３４を起動する。これ以降、基地局ＢはデータＤ２−１、Ｄ３、Ｄ４（２５４、２５５、２５６）を送信するが、基地局Ａは２．４ＧＨｚ帯におけるデータ送信（１５４、１５５、１５６）を中止する。
【０１１３】
非分割送信モードにおいて、基地局Ａにおける復帰タイマ３３４がタイムアップすると、基地局Ａは２．４ＧＨｚ帯におけるデータ送信（１５７）を再開する。そして、基地局は次のデータをＤ５−１（１５７）およびＤ５−２（２５７）に分割して送信する。これらデータＤ５−１およびＤ５−２のヘッダ情報（分割６２１）には「分割」されている旨が記される。
【０１１４】
また、ダイバーシティ受信モードにおいて、端末局Ａにおける復帰タイマ３７４がタイムアップすると、端末局Ａは以降の受信周波数を５ＧＨｚ帯から２．４ＧＨｚ帯に変更する。このとき、データＤ５−１（１５７）およびＤ５−２（２５７）のヘッダ情報には「分割」されている旨が記されているため、端末局は分割受信を行うことになる。
【０１１５】
図１６は、本発明の実施の形態における第２の方式例による分配制御部Ａ３１０の処理手順を示すフローチャートである。第１の方式例と同様に基地局（送信装置）から端末局（受信装置）に対して２．４ＧＨｚ帯および５ＧＨｚ帯を使用してデータを送信するものとし、基地局側の分配制御部Ａ３１０に着目する。
【０１１６】
分割送信モードの動作に入ると、分配制御部Ａ３１０は失敗カウンタＡ３１３をゼロにリセットする（ステップＳ８５１）。そして、レスポンス判別部Ａ３１２は２．４ＧＨｚ帯におけるデータ送信に対するレスポンスを端末局側から受けてその送信が成功したか否かを判別し（ステップＳ８５２）、送信に失敗したときには失敗カウンタＡ３１３を１つ増加させる（ステップＳ８５３）。一方、送信に成功したときには失敗カウンタＡ３１３を再びゼロにリセットする（ステップＳ８５１）。
【０１１７】
このようにしてデータ送信を繰り返すうちに失敗カウンタＡ３１３が所定回数Ｎ（Ｎは整数）以上を示すと（ステップＳ８５４）、基地局は２．４ＧＨｚ帯によるデータ送信およびレスポンス受信を中止して（ステップＳ８５５）、非分割送信モードに切り換える（ステップＳ８５６）。
【０１１８】
非分割送信モードの動作に入ると、分配制御部Ａ３１０は復帰タイマ３３４を起動する（ステップＳ８６１）。そして、この復帰タイマ３３４がタイムアップすると（ステップＳ８６２）、基地局は２．４ＧＨｚ帯によるデータ送信およびレスポンス受信を再開して（ステップＳ８６３）、分割送信モードに切り換えて動作を行う（ステップＳ８６４）。
【０１１９】
なお、ここでは、分配制御部Ａ３１０に着目して２．４ＧＨｚ帯に関する処理について説明したが、分配制御部Ｂ３２０においても同様の手順で５ＧＨｚ帯に関する処理が行われる。
【０１２０】
図１７は、本発明の実施の形態における第２の方式例による合成制御部Ａ３５０の処理手順を示すフローチャートである。第１の方式例と同様に基地局（送信装置）から端末局（受信装置）に対して２．４ＧＨｚ帯および５ＧＨｚ帯を使用してデータを送信するものとし、端末局側の合成制御部Ａ３５０に着目する。
【０１２１】
分割受信モードの動作に入ると、合成制御部Ａ３５０は失敗カウンタＡ３５３をゼロにリセットする（ステップＳ８７１）。そして、データ判別部Ａ３５１は２．４ＧＨｚ帯におけるデータ送信を基地局側から受けてその受信が成功したか否かを判別し（ステップＳ８７２）、受信に失敗したときには失敗カウンタＡ３５３を１つ増加させる（ステップＳ８７３）。一方、受信に成功したときには失敗カウンタＡ３５３を再びゼロにリセットする（ステップＳ８７１）。
【０１２２】
このようにしてデータ受信を繰り返すうちに失敗カウンタＡ３５３が所定回数Ｎ（Ｎは整数）以上を示すと（ステップＳ８７４）、端末局はそれまで２．４ＧＨｚ帯を受信していた受信部１１０の受信周波数を５ＧＨｚ帯に切り換える（ステップＳ８７５）。すなわち、受信部１１０および２１０ともに、５ＧＨｚ帯を受信するようになる。また、以降の基地局からのデータ送信におけるヘッダ情報には「非分割」である旨が記されるため、端末局はダイバーシティ受信を行うようになる。このダイバーシティ受信を行っている間、２．４ＧＨｚ帯によるレスポンス送信を中止する（ステップＳ８７６）。
【０１２３】
ダイバーシティ受信モードの動作に入ると、合成制御部Ａ３５０は復帰タイマ３７４を起動する（ステップＳ８８１）。そして、この復帰タイマ３７４がタイムアップすると（ステップＳ８８２）、基地局は５ＧＨｚ帯に切り換えていた受信部１１０の受信周波数を２．４ＧＨｚ帯に切り換えるとともに（ステップＳ８８３）、２．４ＧＨｚ帯によるレスポンス送信を再開する（ステップＳ８８４）。また、以降の基地局からのデータ送信におけるヘッダ情報には「分割」である旨が記されるため、端末局は分割受信を行うようになる。
【０１２４】
なお、ここでは、合成制御部Ａ３５０に着目して２．４ＧＨｚ帯に関する処理について説明したが、合成制御部Ｂ３６０においても同様の手順で５ＧＨｚ帯に関する処理が行われる。
【０１２５】
このように、本発明の実施の形態における第２の方式例においては、第１の方式例と同様に、基地局における失敗カウンタＡ３１３およびＢ３２３によってデータ送信における失敗回数を計数し、所定回数連続して失敗した場合には基地局が分割送信から非分割送信に切り換える。また、端末局における失敗カウンタＡ３５３およびＢ３６３によってデータ送信における失敗回数を計数し、所定回数連続して失敗した場合には端末局が２．４ＧＨｚ帯における受信を止めて５ＧＨｚ帯に切り換える。これにより、基地局および端末局は、一方が分割送信したデータをもう一方で分割受信するという状態から、一方が非分割送信したデータをもう一方でダイバーシティ受信するという状態へと遷移するタイミングを、それぞれ独立して生成することができる。
【０１２６】
また、この第２の方式例においては、基地局における復帰タイマ３３４のタイムアップにより基地局が非分割送信から分割送信に切り換える。また、端末局における復帰タイマ３７４のタイムアップにより端末局が５ＧＨｚ帯に切り換えていた受信周波数を２．４ＧＨｚ帯に戻す。これにより、基地局および端末局は、一方が非分割送信したデータをもう一方でダイバーシティ受信するという状態から、一方が分割送信したデータをもう一方で分割受信するという状態へと遷移するタイミングを、それぞれ独立して生成することができる。
【０１２７】
この第２の方式例では、分割送受信を行っていない間は、基地局による２．４ＧＨｚ帯におけるデータ送信およびレスポンス受信、ならびに端末局による２．４ＧＨｚ帯におけるレスポンス送信が行われないため、第１の方式例と比較して消費電力を低く抑えることができる。但し、伝送路へのアクセス制御方式として上述のＣＳＭＡ／ＣＡ方式を用いた場合、分割送受信を行っていない間に、それまで使用していたチャネルを他の無線通信装置に奪われるおそれがある。
【０１２８】
なお、この第２の方式例では、基地局から端末局に対してデータを送信するものと想定したが、これは逆に端末局から基地局に対してデータを送信するものと想定しても構わない。
【０１２９】
図１８は、本発明の実施の形態における通信制御部３００によるデータ送信制御機能の第３の方式例を示す図である。このデータ送信制御機能は、データバッファ３３２に保持されたデータを分配するデータ分配部３３５と、送信部１２０によるデータ送信の分配を制御する分配制御部Ａ３１０と、送信部２２０によるデータ送信の分配を制御する分配制御部Ｂ３２０とからなる。これらの構成は上述の第１の方式例と同様であり、基本的動作も第１の方式例と同様である。
【０１３０】
図１９は、本発明の実施の形態における通信制御部３００によるデータ受信制御機能の第３の方式例を示す図である。このデータ受信制御機能は、受信したデータを合成してデータバッファ３７２に保持させるデータ合成部３７５と、復帰タイマ３７４と、受信部１１０において受信したデータの合成を制御する合成制御部Ａ３５０と、受信部２１０において受信したデータの合成を制御する合成制御部Ｂ３６０とからなる。これらの構成は上述の第２の方式例と同様であり、基本的動作も第２の方式例と同様である。
【０１３１】
図２０は、本発明の実施の形態における端末局および基地局の第３の方式例による動作を示すシーケンスチャートである。基地局と端末局との関係は第１または第２の方式例の場合と同様である。
【０１３２】
基地局は第１または第２の方式例の場合と同様に、データをデータＤ１−１とデータＤ１−２に分配して、データＤ１−１を２．４ＧＨｚ帯で、データＤ１−２を５ＧＨｚ帯で、両者を同時に送信（１７０、２７０）する。また、端末局も第１または第２の方式例の場合と同様に、２．４ＧＨｚ帯および５ＧＨｚ帯における受信状態をレスポンスとして２．４ＧＨｚ帯および５ＧＨｚ帯の両者により同時に基地局に返送（１８０、２８０）する。
【０１３３】
そして、これらデータ送信およびレスポンス返信を繰り返した後、データＤ２−１およびＤ２−２を再送（１７３、２７３）した結果、端末局Ａが２．４ＧＨｚ帯において所定回数Ｎ（Ｎは整数）回連続して受信に失敗すると、端末局Ａはレスポンス１８３を返信するとともに以降の受信周波数を２．４ＧＨｚ帯から５ＧＨｚ帯に変更する。また、このとき、端末局Ａは２．４ＧＨｚ帯へ復帰するための復帰タイマ３７４を起動する。これ以降、端末局は送信されたデータＤ２−１およびＤ３（２７４、２７５）のダイバーシティ受信を行い、端末局Ｂはレスポンスを送信（２８４、２８５）するが、端末局Ａはレスポンスの送信（１８４、１８５）を中止する。
【０１３４】
一方、基地局は２．４ＧＨｚ帯において所定回数Ｎ回連続して送信に失敗したことをレスポンス１６３または２６３から知ると、以降の送信において分割送信から非分割送信に切り換え、２．４ＧＨｚ帯および５ＧＨｚ帯において同一データを送信（１７４、２７４）するようになる。
【０１３５】
ダイバーシティ受信モードにおいて、端末局Ａにおける復帰タイマ３７４がタイムアップすると、端末局Ａは以降の受信周波数を５ＧＨｚ帯から２．４ＧＨｚ帯に変更する。但し、この時点ではデータＤ４（１７６、２７６）のヘッダ情報には「非分割」である旨が記されているため、端末局は２．４ＧＨｚ帯および５ＧＨｚ帯において同一データを受信する。
【０１３６】
また、復帰タイマ３７４のタイムアップにより、端末局Ａは２．４ＧＨｚ帯によるレスポンス送信（１８６）を行うようになり、基地局Ａはこのレスポンスを受信する。そして、所定回数Ｍ（Ｍは整数）回連続してレスポンスの受信に成功すると、基地局は次のデータをＤ７−１（１７９）およびＤ７−２（２７９）に分割して送信する。これらデータをＤ７−１およびＤ７−２のヘッダ情報（分割６２１）には「分割」されている旨が記される。これにより、端末局は分割受信を行うことになる。
【０１３７】
図２１は、本発明の実施の形態における第３の方式例による分配制御部Ａ３１０の処理手順を示すフローチャートである。第１または第２の方式例と同様に基地局（送信装置）から端末局（受信装置）に対して２．４ＧＨｚ帯および５ＧＨｚ帯を使用してデータを送信するものとし、基地局側の分配制御部Ａ３１０に着目する。
【０１３８】
分割送信モードの動作に入ると、分配制御部Ａ３１０は失敗カウンタＡ３１３をゼロにリセットする（ステップＳ９１１）。そして、レスポンス判別部Ａ３１２は２．４ＧＨｚ帯におけるデータ送信に対するレスポンスを端末局側から受けてその送信が成功したか否かを判別し（ステップＳ９１２）、送信に失敗したときには失敗カウンタＡ３１３を１つ増加させる（ステップＳ９１３）。一方、送信に成功したときには失敗カウンタＡ３１３を再びゼロにリセットする（ステップＳ９１１）。
【０１３９】
このようにしてデータ送信を繰り返すうちに失敗カウンタＡ３１３が所定回数Ｎ（Ｎは整数）以上を示すと（ステップＳ９１４）、基地局は非分割送信モードに切り換える（ステップＳ９１５）。
【０１４０】
非分割送信モードの動作に入ると、分配制御部Ａ３１０は成功カウンタＡ３１４をゼロにリセットする（ステップＳ９２１）。非分割送信モードの動作に入った当初は端末局からの２．４ＧＨｚ帯によるレスポンス送信がなくなるが（図２２のステップＳ９３６）、その後、端末局からの２．４ＧＨｚ帯によるレスポンス送信が再開されると（図２２のステップＳ９４４）、そのレスポンスを端末局側から受けてその送信が成功したか否かを判別し（ステップＳ９２２）、レスポンス受信に成功したときには成功カウンタＡ３１４を１つ増加させる（ステップＳ９２３）。一方、レスポンス受信に失敗したときには成功カウンタＡ３１４を再びゼロにリセットする（ステップＳ９２１）。
【０１４１】
このようにしてレスポンス受信を繰り返すうちに成功カウンタＡ３１４が所定回数Ｍ（Ｍは整数）以上を示すと（ステップＳ９２４）、基地局は分割送信モードに切り換えて動作を行う（ステップＳ９２５）。
【０１４２】
なお、ここでは、分配制御部Ａ３１０に着目して２．４ＧＨｚ帯に関する処理について説明したが、分配制御部Ｂ３２０においても同様の手順で５ＧＨｚ帯に関する処理が行われる。
【０１４３】
図２２は、本発明の実施の形態における第３の方式例による合成制御部Ａ３５０の処理手順を示すフローチャートである。第１または第２の方式例と同様に基地局（送信装置）から端末局（受信装置）に対して２．４ＧＨｚ帯および５ＧＨｚ帯を使用してデータを送信するものとし、端末局側の合成制御部Ａ３５０に着目する。
【０１４４】
分割受信モードの動作に入ると、合成制御部Ａ３５０は失敗カウンタＡ３５３をゼロにリセットする（ステップＳ９３１）。そして、データ判別部Ａ３５１は２．４ＧＨｚ帯におけるデータ送信を基地局側から受けてその受信が成功したか否かを判別し（ステップＳ９３２）、受信に失敗したときには失敗カウンタＡ３５３を１つ増加させる（ステップＳ９３３）。一方、受信に成功したときには失敗カウンタＡ３５３を再びゼロにリセットする（ステップＳ９３１）。
【０１４５】
このようにしてデータ受信を繰り返すうちに失敗カウンタＡ３５３が所定回数Ｎ（Ｎは整数）以上を示すと（ステップＳ９３４）、端末局はそれまで２．４ＧＨｚ帯を受信していた受信部１１０の受信周波数を５ＧＨｚ帯に切り換える（ステップＳ９３５）。すなわち、受信部１１０および２１０ともに、５ＧＨｚ帯を受信するようになる。また、以降の基地局からのデータ送信におけるヘッダ情報には「非分割」である旨が記されるため、端末局はダイバーシティ受信を行うようになる。このダイバーシティ受信を行っている間、２．４ＧＨｚ帯によるレスポンス送信を中止する（ステップＳ９３６）。
【０１４６】
ダイバーシティ受信モードの動作に入ると、合成制御部Ａ３５０は復帰タイマ３７４を起動する（ステップＳ９４１）。そして、この復帰タイマ３７４がタイムアップすると（ステップＳ９４２）、基地局は５ＧＨｚ帯に切り換えていた受信部１１０の受信周波数を２．４ＧＨｚ帯に切り換えるとともに（ステップＳ９４３）、２．４ＧＨｚ帯によるレスポンス送信を再開する（ステップＳ９４４）。
【０１４７】
その後、基地局において成功カウンタＡ３１４が所定回数以上を示すと（図２１のステップＳ９２４）、基地局からのデータ送信におけるヘッダ情報には「分割」である旨が記されるようになるため（ステップＳ９４５）、これにより端末局は分割受信を行うようになる。
【０１４８】
なお、ここでは、合成制御部Ａ３５０に着目して２．４ＧＨｚ帯に関する処理について説明したが、合成制御部Ｂ３６０においても同様の手順で５ＧＨｚ帯に関する処理が行われる。
【０１４９】
このように、本発明の実施の形態における第３の方式例においては、第１または第２の方式例と同様に、基地局における失敗カウンタＡ３１３およびＢ３２３によってデータ送信における失敗回数を計数し、所定回数連続して失敗した場合には基地局が分割送信から非分割送信に切り換える。また、端末局における失敗カウンタＡ３５３およびＢ３６３によってデータ送信における失敗回数を計数し、所定回数連続して失敗した場合には端末局が２．４ＧＨｚ帯における受信を止めて５ＧＨｚ帯に切り換える。これにより、基地局および端末局は、一方が分割送信したデータをもう一方で分割受信するという状態から、一方が非分割送信したデータをもう一方でダイバーシティ受信するという状態へと遷移するタイミングを、それぞれ独立して生成することができる。
【０１５０】
また、この第３の方式例においては、端末局における復帰タイマ３７４のタイムアップにより端末局が５ＧＨｚ帯に切り換えていた受信周波数を２．４ＧＨｚ帯に戻す。また、基地局における成功カウンタＡ３１４およびＢ３２４によってレスポンス受信における成功回数を計数し、所定回数連続して成功した場合には基地局が非分割送信から分割送信に切り換える。これにより、端末局はダイバーシティ受信の終了タイミングを独立して生成することができ、また、分割受信の開始タイミングを基地局から取得することができる。また、基地局は分割送信の開始タイミングを端末局から取得することができる。
【０１５１】
この第３の方式例では、分割送受信を行っていない間は、基地局による２．４ＧＨｚ帯におけるレスポンス受信、ならびに端末局による２．４ＧＨｚ帯におけるレスポンス送信が行われないため、第１の方式例と比較して消費電力を低く抑えることができる。また、第２の方式例と比較すると、基地局による２．４ＧＨｚ帯におけるデータ送信が行われるため消費電力の低減の度合いは少ないが、第２の方式例のようなチャネルを奪われるおそれを回避することができる。
【０１５２】
なお、この第３の方式例では、基地局から端末局に対してデータを送信するものと想定したが、これは逆に端末局から基地局に対してデータを送信するものと想定しても構わない。
【０１５３】
このように、本発明の実施の形態によれば、基地局および端末局の間において、一方が分割送信したデータをもう一方で分割受信するという状態と、一方が非分割送信したデータをもう一方でダイバーシティ受信するという状態とを適宜切り換えることにより、伝送路を多重化して通信している際に全体の通信性能を担保することができる。
【０１５４】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【０１５５】
すなわち、請求項１は本発明の実施の形態における第１または第３の方式例に対応するものであり、第１および第２の送信手段は例えば送信部１２０および２２０に対応する。また、受信手段は例えば受信部１１０または２１０に対応する。また、送信判別手段および受信判別手段は例えばレスポンス判別部Ａ３１２またはＢ３２２に対応する。また、失敗カウント手段は例えば失敗カウンタＡ３１３またはＢ３２３に対応する。また、成功カウント手段は例えば成功カウンタＡ３１４またはＢ３２４に対応する。また、データ分配手段は例えばデータ分配部３３１または３３５に対応する。
【０１５６】
また、請求項３は本発明の実施の形態における第２の方式例に対応するものであり、第１および第２の送信手段は例えば送信部１２０および２２０に対応する。また、送信判別手段は例えばレスポンス判別部Ａ３１２またはＢ３２２に対応する。また、失敗カウント手段は例えば失敗カウンタＡ３１３またはＢ３２３に対応する。また、データ分配手段は例えばデータ分配部３３１に対応する。また、計時手段は例えば復帰タイマ３３４に対応する。
【０１５７】
また、請求項５は本発明の実施の形態における第１の方式例に対応するものであり、第１および第２の受信手段は例えば受信部１１０および２１０に対応する。また、受信判別手段は例えばデータ判別部Ａ３５１またはＢ３６１に対応する。また、失敗カウント手段は例えば失敗カウンタＡ３５３またはＢ３６３に対応する。また、データ合成手段は例えばデータ合成部３７１に対応する。
【０１５８】
また、請求項７は本発明の実施の形態における第２または第３の方式例に対応するものであり、第１および第２の受信手段は例えば受信部１１０および２１０に対応する。また、受信判別手段は例えばデータ判別部Ａ３５１またはＢ３６１に対応する。また、失敗カウント手段は例えば失敗カウンタＡ３５３またはＢ３６３に対応する。また、計時手段は例えば復帰タイマ３７４に対応する。また、データ合成手段は例えばデータ合成部３７３または３７５に対応する。
【０１５９】
また、請求項９は本発明の実施の形態における第１の方式例に対応するものであり、第１および第２のデータ送信手段は例えば送信部１２０および２２０に対応する。また、レスポンス受信手段は例えば受信部１１０または２１０に対応する。また、データ送信判別手段およびレスポンス受信判別手段は例えばレスポンス判別部Ａ３１２またはＢ３２２に対応する。また、データ送信失敗カウント手段は例えば失敗カウンタＡ３１３またはＢ３２３に対応する。また、レスポンス受信成功カウント手段は例えば成功カウンタＡ３１４またはＢ３２４に対応する。また、データ分配手段は例えばデータ分配部３３１に対応する。第１および第２のデータ受信手段は例えば受信部１１０および２１０に対応する。また、データ受信判別手段は例えばデータ判別部Ａ３５１またはＢ３６１に対応する。また、データ受信失敗カウント手段は例えば失敗カウンタＡ３５３またはＢ３６３に対応する。また、データ合成手段は例えばデータ合成部３７１に対応する。
【０１６０】
また、請求項１０は本発明の実施の形態における第２の方式例に対応するものであり、第１および第２のデータ送信手段は例えば送信部１２０および２２０に対応する。また、データ送信判別手段は例えばレスポンス判別部Ａ３１２またはＢ３２２に対応する。また、データ送信失敗カウント手段は例えば失敗カウンタＡ３１３またはＢ３２３に対応する。また、データ分配手段は例えばデータ分配部３３３に対応する。また、送信計時手段は例えば復帰タイマ３３４に対応する。第１および第２のデータ受信手段は例えば受信部１１０および２１０に対応する。また、データ受信判別手段は例えばデータ判別部Ａ３５１またはＢ３６１に対応する。また、データ受信失敗カウント手段は例えば失敗カウンタＡ３５３またはＢ３６３に対応する。また、受信計時手段は例えば復帰タイマ３７４に対応する。また、データ合成手段は例えばデータ合成部３７３に対応する。
【０１６１】
また、請求項１１は本発明の実施の形態における第３の方式例に対応するものであり、第１および第２のデータ送信手段は例えば送信部１２０および２２０に対応する。また、レスポンス受信手段は例えば受信部１１０または２１０に対応する。また、データ送信判別手段およびレスポンス受信判別手段は例えばレスポンス判別部Ａ３１２またはＢ３２２に対応する。また、データ送信失敗カウント手段は例えば失敗カウンタＡ３１３またはＢ３２３に対応する。また、レスポンス受信成功カウント手段は例えば成功カウンタＡ３１４またはＢ３２４に対応する。また、データ分配手段は例えばデータ分配部３３５に対応する。第１および第２のデータ受信手段は例えば受信部１１０および２１０に対応する。また、データ受信判別手段は例えばデータ判別部Ａ３５１またはＢ３６１に対応する。また、データ受信失敗カウント手段は例えば失敗カウンタＡ３５３またはＢ３６３に対応する。また、受信計時手段は例えば復帰タイマ３７４に対応する。また、データ合成手段は例えばデータ合成部３７５に対応する。
【０１６２】
また、請求項１２または１６は本発明の実施の形態における第１または第３の方式例に対応するものであり、第１および第２の送信手段は例えば送信部１２０および２２０に対応する。また、受信手段は例えば受信部１１０または２１０に対応する。また、送信すべきデータを第１および第２の送信手段に分割して送信させる状態に遷移させる手順は例えばステップＳ８２６またはＳ９２５に対応する。また、第１の送信手段によるデータ送信の失敗回数を計数する手順は例えばステップＳ８１３またはＳ９１３に対応する。また、データ送信の失敗回数が所定数を示すと、送信すべきデータを第１および第２の送信手段に重複して送信させる状態に遷移させる手順は例えばステップＳ８１４乃至Ｓ８１５またはＳ９１４乃至Ｓ９１５に対応する。また、受信手段によるデータ受信の成功回数を計数する手順は例えばステップＳ８２３またはＳ９２３に対応する。また、データ受信の成功回数が所定数を示すと、送信すべきデータを第１および第２の送信手段に分割して送信させる状態に遷移させる手順は例えばステップＳ８２４乃至Ｓ８２６またはＳ９２４乃至Ｓ９２５に対応する。
【０１６３】
また、請求項１３または１７は本発明の実施の形態における第２の方式例に対応するものであり、第１および第２の送信手段は例えば送信部１２０および２２０に対応する。また、送信すべきデータを第１および第２の送信手段に分割して送信させる状態に遷移させる手順は例えばステップＳ８６４に対応する。また、第１の送信手段によるデータ送信の失敗回数を計数する手順は例えばステップＳ８５３に対応する。また、データ送信の失敗回数が所定数を示すと、送信すべきデータを分割せずに第２の送信手段より送信させる状態に遷移させる手順は例えばステップＳ８５４乃至Ｓ８５６に対応する。また、送信すべきデータを分割せずに第２の送信手段より送信させている期間を計時する手順は例えばステップＳ８６１乃至Ｓ８６２に対応する。また、送信すべきデータを分割せずに第２の送信手段より送信させている期間が所定期間を示すと、送信すべきデータを第１および第２の送信手段に分割して送信させる状態に遷移させる手順は例えばステップＳ８６２乃至Ｓ８６４に対応する。
【０１６４】
また、請求項１４または１８は本発明の実施の形態における第１の方式例に対応するものであり、第１および第２の受信手段は例えば受信部１１０および２１０に対応する。また、第１の受信手段が第１の伝送路においてデータ受信を行う状態に遷移させる手順は例えばステップＳ８４２に対応する。また、第１の受信手段によるデータ受信の失敗回数を計数する手順は例えばステップＳ８３３に対応する。また、第１の受信手段によるデータ受信の失敗回数が所定数を示すと、第１の受信手段が第２の伝送路においてデータ受信を行う状態に遷移させる手順は例えばステップＳ８３４乃至Ｓ８３５に対応する。また、第１および第２の受信手段による受信内容が周波数切換指示を示すと、第１の受信手段が第１の伝送路においてデータ受信を行う状態に遷移させる手順は例えばステップＳ８４１乃至Ｓ８４２に対応する。
【０１６５】
また、請求項１５または１９は本発明の実施の形態における第２または第３の方式例に対応するものであり、第１および第２の受信手段は例えば受信部１１０および２１０に対応する。また、第１の受信手段が第１の伝送路においてデータ受信を行う状態に遷移させる手順は例えばステップＳ８８３またはＳ９４３に対応する。また、第１の受信手段によるデータ受信の失敗回数を計数する手順は例えばステップＳ８７３またはＳ９３３に対応する。また、第１の受信手段によるデータ受信の失敗回数が所定数を示すと、第１の受信手段が第２の伝送路においてデータ受信を行う状態に遷移させる手順は例えばステップＳ８７４乃至Ｓ８７５またはＳ９３４乃至Ｓ９３５に対応する。また、第１の受信手段が第２の伝送路においてデータ受信を行っている期間を計時する手順は例えばステップＳ８８１乃至Ｓ８８２またはＳ９４１乃至Ｓ９４２に対応する。また、第１の受信手段が第２の伝送路においてデータ受信を行っている期間が所定期間を示すと、第１の受信手段が第１の伝送路においてデータ受信を行う状態に遷移させる手順は例えばステップＳ８８２乃至Ｓ８８３またはＳ９４２乃至Ｓ９４３に対応する。
【０１６６】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【産業上の利用可能性】
【０１６７】
本発明の活用例として、例えば基地局および端末局の間において伝送路を多重化して無線通信を行う際に本発明を適用することができる。
【図面の簡単な説明】
【０１６８】
【図１】本発明の実施の形態における無線通信システムの一構成例を示す図である。
【図２】本発明の実施の形態におけるデータ送信の概要を示す図である。
【図３】本発明の実施の形態における基地局２１、端末局１１または１２の構成を示す図である。
【図４】本発明の実施の形態における基地局２１、端末局１１または１２の受信部１１０の構成を示す図である。
【図５】本発明の実施の形態における基地局２１、端末局１１または１２の送信部２２０の構成を示す図である。
【図６】本発明の実施の形態におけるデータパケットのフレーム構成を示す図である。
【図７】本発明の実施の形態におけるレスポンスパケットのフレーム構成を示す図である。
【図８】本発明の実施の形態における通信制御部３００によるデータ送信制御機能の第１の方式例を示す図である。
【図９】本発明の実施の形態における通信制御部３００によるデータ受信制御機能の第１の方式例を示す図である。
【図１０】本発明の実施の形態における端末局および基地局の第１の方式例による動作を示すシーケンスチャートである。
【図１１】本発明の実施の形態における第１の方式例による分配制御部Ａ３１０の処理手順を示すフローチャートである。
【図１２】本発明の実施の形態における第１の方式例による合成制御部Ａ３５０の処理手順を示すフローチャートである。
【図１３】本発明の実施の形態における通信制御部３００によるデータ送信制御機能の第２の方式例を示す図である。
【図１４】本発明の実施の形態における通信制御部３００によるデータ受信制御機能の第２の方式例を示す図である。
【図１５】本発明の実施の形態における端末局および基地局の第２の方式例による動作を示すシーケンスチャートである。
【図１６】本発明の実施の形態における第２の方式例による分配制御部Ａ３１０の処理手順を示すフローチャートである。
【図１７】本発明の実施の形態における第２の方式例による合成制御部Ａ３５０の処理手順を示すフローチャートである。
【図１８】本発明の実施の形態における通信制御部３００によるデータ送信制御機能の第３の方式例を示す図である。
【図１９】本発明の実施の形態における通信制御部３００によるデータ受信制御機能の第３の方式例を示す図である。
【図２０】本発明の実施の形態における端末局および基地局の第３の方式例による動作を示すシーケンスチャートである。
【図２１】本発明の実施の形態における第３の方式例による分配制御部Ａ３１０の処理手順を示すフローチャートである。
【図２２】本発明の実施の形態における第３の方式例による合成制御部Ａ３５０の処理手順を示すフローチャートである。
【符号の説明】
【０１６９】
１１、１２  端末局
２１  基地局
３０  ネットワーク
１０１、２０１  アンテナ
１０２、２０２  切替器
１０３、２０３  パワーアンプ
１１０、２１０  受信部
１１１  ダウンコンバータ
１１２  直交復調器
１１３  離散フーリエ変換器
１１４  差動復号器
１１５  デマップ回路
１１６  訂正回路
１２０、２２０  送信部
２２１  訂正符号化回路
２２２  マップ回路
２２３  差動符号化器
２２４  逆離散フーリエ変換器
２２５  直交変調器
２２６  アップコンバータ
３００  通信制御部
３０１  論理層制御部
３０２  メモリ
３０３  物理層インターフェース
３３１、３３３、３３５  データ分配部
３３２  データバッファ
３３４、３７４  復帰タイマ
３７１、３７３、３７５  データ合成部
３７２  データバッファ
４００  周辺インターフェース
３１０、３２０  分配制御部
３１１、３２１  キャリアセンス部
３１２、３２２  レスポンス判別部
３１３、３２３、３５３、３６３  失敗カウンタ
３１４、３２４  成功カウンタ
３１５、３２５  データ出力部
３５０、３６０  合成制御部
３５１、３６１  データ判別部
３５２、３６２  レスポンス出力部
【図１】
2006013982.tif 000003
【図２】
2006013982.tif 000004
【図３】
2006013982.tif 000005
【図４】
2006013982.tif 000006
【図５】
2006013982.tif 000007
【図６】
2006013982.tif 000008
【図７】
2006013982.tif 000009
【図８】
2006013982.tif 000010
【図９】
2006013982.tif 000011
【図１０】
2006013982.tif 000012
【図１１】
2006013982.tif 000013
【図１２】
2006013982.tif 000014
【図１３】
2006013982.tif 000015
【図１４】
2006013982.tif 000016
【図１５】
2006013982.tif 000017
【図１６】
2006013982.tif 000018
【図１７】
2006013982.tif 000019
【図１８】
2006013982.tif 000020
【図１９】
2006013982.tif 000021
【図２０】
2006013982.tif 000022
【図２１】
2006013982.tif 000023
【図２２】
2006013982.tif 000024